(57)【特許請求の範囲】
【請求項１】
表示画面と、
通信先と通信可能な通信手段と、
複数の画像データを記憶する画像データ記憶手段と、
その画像データ記憶手段に記憶される画像データと通信先を指定する情報を含む所定の登録情報とを対応付けて記憶する手段であって、１の前記画像データの描画領域に設定された複数の領域中の１の領域を示す領域情報に対して、１又は複数の前記登録情報を対応付けて記憶することができるように構成されている登録情報記憶手段と、
前記表示画面に画像又は情報を出力させる出力制御手段と、
前記通信手段により通信先から受信した受信データを記憶する受信データ記憶手段と、
前記受信データ記憶手段に記憶される少なくとも１の通信先から得た受信データを転送する通信先を指定する情報を前記通信手段に入力する転送先入力手段と、
前記転送先入力手段により入力された情報によって指定される通信先へ、前記少なくとも１の通信先から得た受信データを前記通信手段によって転送する転送手段とを備え、
前記出力制御手段は、
前記登録情報記憶手段において登録情報に対応付けられている画像データの中から、前記受信データの送信元となる通信先を示す登録情報を少なくとも含む複数の登録情報に対応付けられている画像データの内容を示す画像を前記表示画面に出力させると共に、前記表示画面に出力された画像内において前記送信元となる通信先を示す登録情報に対応付けられて前記登録情報記憶手段に記憶されている領域情報の示す領域を、同画像内において他の登録情報に対応付けられて前記登録情報記憶手段に記憶されている領域情報の示す他の領域とは異なる態様で出力させる第１の出力制御手段と、
その第１の出力制御手段により前記表示画面に表示された画像に対して指示入力がされたことに基づき、前記登録情報記憶手段において登録情報に対応付けられている画像データのうち、少なくとも１の画像データの内容を示す画像を前記表示画面に出力させる第２の出力制御手段とを含んで構成されるものであり、
前記転送先入力手段は、前記第２の出力制御手段により前記表示画面に出力させた画像内における前記登録情報に対応付けられて前記登録情報記憶手段に記憶されている領域情報の示す領域が指定されたことに基づいて、前記指定された領域を示す領域情報に対応付けられている登録情報に含まれる通信先を指定する情報を転送先として前記通信手段に入力することを特徴とする通信装置。
【請求項２】
前記第２の出力制御手段は、前記登録情報記憶手段において前記受信データの送信元となる通信先を示す登録情報と該送信元となる通信先以外の登録情報とに対して対応付けられている画像データの内容を示す画像を前記表示画面に出力させることを特徴とする請求項１記載の通信装置。
【請求項３】
前記転送手段によって転送される受信データは、ページデータであり、
前記転送手段によって転送される受信データの送信元となる通信先を示す情報を含むページデータを作成するページデータ自動作成手段を備え、
前記転送手段は、前記受信データを転送する場合に、前記ページデータ自動作成手段により作成されたページデータを付加して転送することを特徴とする請求項１又は２に記載の通信装置。
【請求項４】
前記表示画面に対する指示体の指定位置を検出するタッチパネルを備え、
前記出力制御手段は、
前記第２の出力制御手段により前記表示画面に出力させた画像に対し、前記指示体による指定位置が前記タッチパネルにより検出され、その指定位置が、前記登録情報記憶手段において前記登録情報に対応付けられている前記領域情報が示す領域である場合に、その登録情報を前記表示画面に出力させる第３の出力制御手段を含んで構成され、
前記転送先入力手段は、前記第３の出力制御手段により前記登録情報を前記表示画面に出力させた状態下で転送開始指示の入力を得た場合に、その登録情報に含まれる通信先を指定する情報を転送先として前記通信手段に入力することを特徴とする請求項１から３のいずれかに記載の通信装置。
【請求項５】
前記第１の出力制御手段は、前記登録情報記憶手段において登録情報に対応付けられている画像データの中から、前記受信データ記憶手段に記憶されている受信データの送信元を示す登録情報が複数の領域情報に対して対応付けられている画像データの内容を示す画像を前記表示画面に出力させる場合には、同画像内において、各領域情報の示す領域を、互いに区別可能な態様で出力させることを特徴とする請求項１から４のいずれかに記載の通信装置。
【請求項６】
前記登録情報は、対応する通信先の名称を示す第１の情報と、前記通信先を示す第２の情報と、前記通信先に関する前記名称又は前記通信先を示す情報以外の付加的な情報を示す第３の情報とを含んで構成され、
前記表示画面は、長辺と短辺とを隣接する２辺とする略矩形の画面から構成されるものであり、
前記出力制御手段は、前記登録情報記憶手段において登録情報に対応付けられている画像データの内容を示す画像を前記表示画面に出力させる場合に、前記表示画面における長辺側を分割することによって得られる２領域のうち、一方の領域に、前記通信先を示す登録情報を少なくとも含む複数の登録情報に対応付けられている画像データの内容を示す画像を出力させ、他方の領域に、前記通信先を示す登録情報として、前記第１の情報、前記第２の情報、及び前記第３の情報を出力させる第４の出力制御手段を含んで構成されることを特徴とする請求項１から５のいずれかに記載の通信装置。
【請求項７】
前記出力制御手段は、
前記第２の出力制御手段によって、前記登録情報記憶手段において登録情報に対応付けられている画像データのうち、複数の画像データの内容を示す画像を前記表示画面に出力させる場合に、前記複数の画像データの内容をそれぞれ示す複数の画像のうち１の画像を選択可能なメニュー画像を前記表示画面に出力させる第５の出力制御手段と、
前記メニュー画像を介して前記１の画像を選択する入力を得た場合には、前記表示画面に出力させる画像を前記選択された画像に切り替える第６の出力制御手段とを含んで構成されることを特徴とする請求項１から６のいずれかに記載の通信装置。
【請求項８】
前記表示画面に対する指示体の指定位置を検出するタッチパネルを備え、
前記第６の出力制御手段は、前記第５の出力制御手段により前記表示画面に出力させたメニュー画像に対し、前記指示体による指定位置が前記タッチパネルにより検出された場合に、検出された指定位置に応じた画像を前記表示画面に出力させることを特徴とする請求項７記載の通信装置。
【請求項９】
表示画面と、通信先と通信可能な通信手段と、複数の画像データを記憶する画像データ記憶手段と、その画像データ記憶手段に記憶される画像データと通信先を指定する情報を含む所定の登録情報とを対応付けて記憶する手段であって、１の前記画像データの描画領域に設定された複数の領域中の１の領域を示す領域情報に対して、１又は複数の前記登録情報を対応付けて記憶することができるように構成されている登録情報記憶手段と、前記通信手段により通信先から受信した受信データを記憶する受信データ記憶手段とを有する通信装置に実行させる通信プログラムであって、
前記登録情報記憶手段において登録情報に対応付けられている画像データの中から、前記受信データの送信元となる通信先を示す登録情報を少なくとも含む複数の登録情報に対応付けられている画像データの内容を示す画像を前記表示画面に出力させると共に、前記表示画面に出力された画像内において前記送信元となる通信先を示す登録情報に対応付けられて前記登録情報記憶手段に記憶されている領域情報の示す領域を、同画像内において他の登録情報に対応付けられて前記登録情報記憶手段に記憶されている領域情報の示す他の領域とは異なる態様で出力させる第１の出力制御ステップと、
その第１の出力制御ステップにより画像が前記表示画面に表示された状態で指示入力がされた場合に、前記登録情報記憶手段において登録情報に対応付けられている画像データのうち、少なくとも１の画像データの内容を示す画像を前記表示画面に出力させる第２の出力制御ステップと、
その第２の出力制御ステップにより前記表示画面に出力させた画像内における前記登録情報に対応付けられて前記登録情報記憶手段に記憶されている領域情報の示す領域が指定されたことに基づいて、前記指定された領域を示す領域情報に対応付けられている登録情報に含まれる通信先を指定する情報を、前記受信データ記憶手段に記憶される少なくとも１の通信先から得た受信データを転送する通信先として前記通信手段に入力する転送先入力ステップと、
その転送先入力ステップにより入力された情報によって指定される通信先へ、前記少なくとも１の通信先から得た受信データを前記通信手段によって転送する転送ステップとを備えていることを特徴とする通信プログラム。
【請求項１０】
通信先と通信可能な通信手段を有する通信装置と、その通信装置に接続される装置であって、表示画面とその表示画面に画像又は情報を出力させる出力制御手段と、前記通信手段に通信先を指定する情報を入力する通信先入力手段と、前記通信先入力手段により入力された情報によって指定される通信先へ、少なくとも１の通信先から得た受信データを前記通信手段によって送信する送信手段とを有する情報処理装置と、複数の画像データを記憶する画像データ記憶手段と、その画像データ記憶手段に記憶される画像データと通信先を指定する情報を含む所定の登録情報とを対応付けて記憶する手段であって、１の前記画像データの描画領域に設定された複数の領域中の１の領域を示す領域情報に対して、１又は複数の前記登録情報を対応付けて記憶することができるように構成されている登録情報記憶手段と、前記通信手段により通信先から受信した受信データを記憶する受信データ記憶手段とを含み、
前記情報処理装置の出力制御手段は、
前記登録情報記憶手段において登録情報に対応付けられている画像データの中から、前記受信データの送信元となる通信先を示す登録情報を少なくとも含む複数の登録情報に対応付けられている画像データの内容を示す画像を前記表示画面に出力させると共に、前記表示画面に出力された画像内において前記送信元となる通信先を示す登録情報に対応付けられて前記登録情報記憶手段に記憶されている領域情報の示す領域を、同画像内において他の登録情報に対応付けられて前記登録情報記憶手段に記憶されている領域情報の示す他の領域とは異なる態様で出力させる第１の出力制御手段と、
その第１の出力制御手段により画像が前記表示画面に表示された状態で指示入力がされた場合に、前記登録情報記憶手段において登録情報に対応付けられている画像データのうち、少なくとも１の画像データの内容を示す画像を前記表示画面に出力させる第２の出力制御手段とを含んで構成されるものであり、
前記情報処理装置の通信先入力手段は、前記第２の出力制御手段により前記表示画面に出力させた画像内における前記登録情報に対応付けられて前記登録情報記憶手段に記憶されている領域情報の示す領域が指定された場合に、その指定に基づいて、前記指定された領域を示す領域情報に対応付けられている登録情報に含まれる通信先を指定する情報を転送先として前記通信手段に入力し、
前記情報処理装置の送信手段は、前記通信先入力手段により入力された情報によって指定される通信先へ、前記受信データ記憶手段に記憶される受信データの中から、少なくとも１の通信先から得た受信データを前記通信手段によって転送することを特徴とする通信システム。
【発明の詳細な説明】
【技術分野】
【０００１】
本発明は、通信装置、通信プログラム、及び通信システムに関するものである。
【背景技術】
【０００２】
特許文献１には、相手先情報と共に画像が予め登録されている相手であれば、着信履歴に相手の顔写真等の画像を合わせて表示できる携帯電話端末が記載されている。
【特許文献１】特開２００７−６８２３４号公報
【発明の開示】
【発明が解決しようとする課題】
【０００３】
しかしながら、特許文献１に記載される携帯電話端末は、表示された顔写真等の画像によって着信相手を視覚的に把握することができるものの、それ以外の情報、例えば、自分との関係や、第三者との関係などを知ることはできず、その相手に対する把握を困難にするという問題点があった。
【０００４】
そのため、例えば、ある送信相手からＦＡＸデータなどのデータを受信した場合に、その受信データを自分と送信相手とに共通して関連する第三者へ転送したくとも、かかる第三者の転送先を探し出すためには、自身の記憶を頼りにするしかなく、労力がかかり効率が悪かった。
【０００５】
本発明は、上述した問題点を解決するためになされたものであり、通信先となる相手について容易に把握し得る通信装置、通信プログラム、及び、通信システムを提供することを目的とする。
【課題を解決するための手段】
【０００６】
この目的を解決するために、請求項１記載の通信装置は、表示画面と、通信先と通信可能な通信手段と、複数の画像データを記憶する画像データ記憶手段と、その画像データ記憶手段に記憶される画像データと通信先を指定する情報を含む所定の登録情報とを対応付けて記憶する手段であって、１の前記画像データの描画領域に設定された複数の領域中の１の領域を示す領域情報に対して、１又は複数の前記登録情報を対応付けて記憶することができるように構成されている登録情報記憶手段と、前記表示画面に画像又は情報を出力させる出力制御手段と、前記通信手段により通信先から受信した受信データを記憶する受信データ記憶手段と、前記受信データ記憶手段に記憶される少なくとも１の通信先から得た受信データを転送する通信先を指定する情報を前記通信手段に入力する転送先入力手段と、前記転送先入力手段により入力された情報によって指定される通信先へ、前記少なくとも１の通信先から得た受信データを前記通信手段によって転送する転送手段とを備え、前記出力制御手段は、前記登録情報記憶手段において登録情報に対応付けられている画像データの中から、前記受信データの送信元となる通信先を示す登録情報を少なくとも含む複数の登録情報に対応付けられている画像データの内容を示す画像を前記表示画面に出力させると共に、前記表示画面に出力された画像内において前記送信元となる通信先を示す登録情報に対応付けられて前記登録情報記憶手段に記憶されている領域情報の示す領域を、同画像内において他の登録情報に対応付けられて前記登録情報記憶手段に記憶されている領域情報の示す他の領域とは異なる態様で出力させる第１の出力制御手段と、その第１の出力制御手段により前記表示画面に表示された画像に対して指示入力がされたことに基づき、前記登録情報記憶手段において登録情報に対応付けられている画像データのうち、少なくとも１の画像データの内容を示す画像を前記表示画面に出力させる第２の出力制御手段とを含んで構成されるものであり、前記転送先入力手段は、前記第２の出力制御手段により前記表示画面に出力させた画像内における前記登録情報に対応付けられて前記登録情報記憶手段に記憶されている領域情報の示す領域が指定されたことに基づいて、前記指定された領域を示す領域情報に対応付けられている登録情報に含まれる通信先を指定する情報を転送先として前記通信手段に入力する。
【０００７】
請求項２記載の通信装置は、請求項１記載の通信装置において、前記第２の出力制御手段は、前記登録情報記憶手段において前記受信データの送信元となる通信先を示す登録情報と該送信元となる通信先以外の登録情報とに対して対応付けられている画像データの内容を示す画像を前記表示画面に出力させる。
【０００８】
請求項３記載の通信装置は、請求項１又は２に記載の通信装置において、前記転送手段によって転送される受信データは、ページデータであり、前記転送手段によって転送される受信データの送信元となる通信先を示す情報を含むページデータを作成するページデータ自動作成手段を備え、前記転送手段は、前記受信データを転送する場合に、前記ページデータ自動作成手段により作成されたページデータを付加して転送する。
【０００９】
請求項４記載の通信装置は、請求項１から３のいずれかに記載の通信装置において、前記表示画面に対する指示体の指定位置を検出するタッチパネルを備え、前記出力制御手段は、前記第２の出力制御手段により前記表示画面に出力させた画像に対し、前記指示体による指定位置が前記タッチパネルにより検出され、その指定位置が、前記登録情報記憶手段において前記登録情報に対応付けられている前記領域情報が示す領域である場合に、その登録情報を前記表示画面に出力させる第３の出力制御手段を含んで構成され、前記転送先入力手段は、前記第３の出力制御手段により前記登録情報を前記表示画面に出力させた状態下で転送開始指示の入力を得た場合に、その登録情報に含まれる通信先を指定する情報を転送先として前記通信手段に入力する。
【００１０】
請求項５記載の通信装置は、請求項１から４のいずれかに記載の通信装置において、前記第１の出力制御手段は、前記登録情報記憶手段において登録情報に対応付けられている画像データの中から、前記受信データ記憶手段に記憶されている受信データの送信元を示す登録情報が複数の領域情報に対して対応付けられている画像データの内容を示す画像を前記表示画面に出力させる場合には、同画像内において、各領域情報の示す領域を、互いに区別可能な態様で出力させる。
【００１１】
請求項６記載の通信装置は、請求項１から５のいずれかに記載の通信装置において、前記登録情報は、対応する通信先の名称を示す第１の情報と、前記通信先を示す第２の情報と、前記通信先に関する前記名称又は前記通信先を示す情報以外の付加的な情報を示す第３の情報とを含んで構成され、前記表示画面は、長辺と短辺とを隣接する２辺とする略矩形の画面から構成されるものであり、前記出力制御手段は、前記登録情報記憶手段において登録情報に対応付けられている画像データの内容を示す画像を前記表示画面に出力させる場合に、前記表示画面における長辺側を分割することによって得られる２領域のうち、一方の領域に、前記通信先を示す登録情報を少なくとも含む複数の登録情報に対応付けられている画像データの内容を示す画像を出力させ、他方の領域に、前記通信先を示す登録情報として、前記第１の情報、前記第２の情報、及び前記第３の情報を出力させる第４の出力制御手段を含んで構成される。
【００１２】
請求項７記載の通信装置は、請求項１から６のいずれかに記載の通信装置において、前記出力制御手段は、前記第２の出力制御手段によって、前記登録情報記憶手段において登録情報に対応付けられている画像データのうち、複数の画像データの内容を示す画像を前記表示画面に出力させる場合に、前記複数の画像データの内容をそれぞれ示す複数の画像のうち１の画像を選択可能なメニュー画像を前記表示画面に出力させる第５の出力制御手段と、前記メニュー画像を介して前記１の画像を選択する入力を得た場合には、前記表示画面に出力させる画像を前記選択された画像に切り替える第６の出力制御手段とを含んで構成される。
【００１３】
請求項８記載の通信装置は、請求項７記載の通信装置において、前記表示画面に対する指示体の指定位置を検出するタッチパネルを備え、前記第６の出力制御手段は、前記第５の出力制御手段により前記表示画面に出力させたメニュー画像に対し、前記指示体による指定位置が前記タッチパネルにより検出された場合に、検出された指定位置に応じた画像を前記表示画面に出力させる。
【００１４】
請求項９記載の通信制御プログラムは、表示画面と、通信先と通信可能な通信手段と、複数の画像データを記憶する画像データ記憶手段と、その画像データ記憶手段に記憶される画像データと通信先を指定する情報を含む所定の登録情報とを対応付けて記憶する手段であって、１の前記画像データの描画領域に設定された複数の領域中の１の領域を示す領域情報に対して、１又は複数の前記登録情報を対応付けて記憶することができるように構成されている登録情報記憶手段と、前記通信手段により通信先から受信した受信データを記憶する受信データ記憶手段とを有する通信装置に実行させるプログラムであって、前記登録情報記憶手段において登録情報に対応付けられている画像データの中から、前記受信データの送信元となる通信先を示す登録情報を少なくとも含む複数の登録情報に対応付けられている画像データの内容を示す画像を前記表示画面に出力させると共に、前記表示画面に出力された画像内において前記送信元となる通信先を示す登録情報に対応付けられて前記登録情報記憶手段に記憶されている領域情報の示す領域を、同画像内において他の登録情報に対応付けられて前記登録情報記憶手段に記憶されている領域情報の示す他の領域とは異なる態様で出力させる第１の出力制御ステップと、その第１の出力制御ステップにより画像が前記表示画面に表示された状態で指示入力がされた場合に、前記登録情報記憶手段において登録情報に対応付けられている画像データのうち、少なくとも１の画像データの内容を示す画像を前記表示画面に出力させる第２の出力制御ステップと、その第２の出力制御ステップにより前記表示画面に出力させた画像内における前記登録情報に対応付けられて前記登録情報記憶手段に記憶されている領域情報の示す領域が指定されたことに基づいて、前記指定された領域を示す領域情報に対応付けられている登録情報に含まれる通信先を指定する情報を、前記受信データ記憶手段に記憶される少なくとも１の通信先から得た受信データを転送する通信先として前記通信手段に入力する転送先入力ステップと、その転送先入力ステップにより入力された情報によって指定される通信先へ、前記少なくとも１の通信先から得た受信データを前記通信手段によって転送する転送ステップとを備えている。
【００１５】
請求項１０記載の通信システムは、通信先と通信可能な通信手段を有する通信装置と、その通信装置に接続される装置であって、表示画面とその表示画面に画像又は情報を出力させる出力制御手段と、前記通信手段に通信先を指定する情報を入力する通信先入力手段と、前記通信先入力手段により入力された情報によって指定される通信先へ、少なくとも１の通信先から得た受信データを前記通信手段によって送信する送信手段とを有する情報処理装置と、複数の画像データを記憶する画像データ記憶手段と、その画像データ記憶手段に記憶される画像データと通信先を指定する情報を含む所定の登録情報とを対応付けて記憶する手段であって、１の前記画像データの描画領域に設定された複数の領域中の１の領域を示す領域情報に対して、１又は複数の前記登録情報を対応付けて記憶することができるように構成されている登録情報記憶手段と、前記通信手段により通信先から受信した受信データを記憶する受信データ記憶手段とを含み、前記情報処理装置の出力制御手段は、前記登録情報記憶手段において登録情報に対応付けられている画像データの中から、前記受信データの送信元となる通信先を示す登録情報を少なくとも含む複数の登録情報に対応付けられている画像データの内容を示す画像を前記表示画面に出力させると共に、前記表示画面に出力された画像内において前記送信元となる通信先を示す登録情報に対応付けられて前記登録情報記憶手段に記憶されている領域情報の示す領域を、同画像内において他の登録情報に対応付けられて前記登録情報記憶手段に記憶されている領域情報の示す他の領域とは異なる態様で出力させる第１の出力制御手段と、その第１の出力制御手段により画像が前記表示画面に表示された状態で指示入力がされた場合に、前記登録情報記憶手段において登録情報に対応付けられている画像データのうち、少なくとも１の画像データの内容を示す画像を前記表示画面に出力させる第２の出力制御手段とを含んで構成されるものであり、前記情報処理装置の通信先入力手段は、前記第２の出力制御手段により前記表示画面に出力させた画像内における前記登録情報に対応付けられて前記登録情報記憶手段に記憶されている領域情報の示す領域が指定された場合に、その指定に基づいて、前記指定された領域を示す領域情報に対応付けられている登録情報に含まれる通信先を指定する情報を転送先として前記通信手段に入力し、前記情報処理装置の送信手段は、前記通信先入力手段により入力された情報によって指定される通信先へ、前記受信データ記憶手段に記憶される受信データの中から、少なくとも１の通信先から得た受信データを前記通信手段によって転送する。
【発明の効果】
【００１６】
請求項１記載の通信装置によれば、受信データの送信元となる通信先を示す登録情報だけでなく、他の登録情報にも対応付けられている画像データの内容が表示画面に出力（表示）された場合に、受信データの送信元となる通信先に対応する領域が、他の登録情報に対応する領域と異なる態様で区別されるので、受信データの送信元となる通信先を容易に特定することができるという効果がある。また、その際、表示画面に表示された画像を参照し、受信データの送信元となる通信先に対応する領域と、他の登録情報に対応する領域とを比較することによって、受信データの送信元となる通信先に関する間接的な情報を得ることができるという効果がある。
【００１７】
さらに、登録情報に対応付けられている画像データの内容を示す画像を利用して受信データの転送先とする通信先を指定できるので、受信データの送信元と関連付けつつ、転送先を探すことができる。よって、受信データの転送先とする通信先を容易に探すことができ、受信データの転送を容易に行うことができるという効果がある。
【００１８】
請求項２記載の通信装置によれば、請求項１記載の通信装置の奏する効果に加えて、次の効果を奏する。受信データの転送先を探す場合に、受信データの送信元となる通信先を示す登録情報と該送信元となる通信先以外の登録情報とに対して対応付けられている画像データの内容を示す画像を利用できるので、受信データの送信元との関係に基づいて、受信データの転送先とする通信先を容易に探すことができ、受信データの転送を容易に行うことができるという効果がある。
【００１９】
請求項３記載の通信装置によれば、請求項１又は２に記載の通信装置の奏する効果に加えて、次の効果を奏する。受信データの転送の際には、該受信データの送信元となる通信先を示す情報を含むページデータが自動作成された上で、転送すべき受信データに自動的に添付されるので、転送先に、転送された受信データの本来の送信元（即ち、その受信データを最初に送信した送信元）を把握させることができるという効果がある。また、それによって、転送による連絡の齟齬を防止することができるという効果がある。
【００２０】
請求項４記載の通信装置によれば、請求項１から３のいずれかに記載の通信装置の奏する効果に加えて、次の効果を奏する。タッチパネル方式で転送先を指定できるので、表示画面に出力された１の画像から転送先を容易に指定（選択）することができるという効果がある。
【００２１】
また、転送先の候補として領域が指定された場合に、その領域に対応付けられている登録情報が表示されるので、表示された登録情報を基に転送開始指示を入力することができる。よって、表示された登録情報に基づいて、受信データを転送する転送先をよく把握した上で受信データの転送を開始することができ、転送先の間違いを防止することができるという効果がある。
【００２２】
請求項５記載の通信装置によれば、請求項１から４のいずれかに記載の通信装置の奏する効果に加えて、次の効果を奏する。１の画像内において、受信データの送信元に対応する各領域が互いに区別可能な態様で出力されるので、ユーザは、１の画像から複数の受信データの存在を知ることができると共に、各受信データの送信元の関係を表示画面に出力された１の画像から直感的に把握することができるという効果がある。
【００２３】
請求項６記載の通信装置によれば、請求項１から５のいずれかに記載の通信装置の奏する効果に加えて、次の効果を奏する。表示画面内の１領域に画像を出力し、それと同時に他の１領域に登録情報を出力できるので、登録情報から、通信先（例えば、受信データの送信元や転送先など）に関する直接的な情報を得ることができると共に、対応する画像から、該通信先に関する間接的な情報を得ることができ、かかる通信先の把握を行い易いという効果がある。また、登録情報には、名称や通信先を示す情報以外の付加的な情報が含まれているので、ユーザが、受信データの送信元や転送先などの通信先を連想し易く特定し易いという効果がある。
【００２４】
請求項７記載の通信装置によれば、請求項１から６のいずれかに記載の通信装置の奏する効果に加えて、次の効果を奏する。受信データの転送先を選択する際に、複数の画像を表示する場合には、そのうちの１の画像が表示画面に表示されるので、画像を大きく表示することができ、画像の中から転送先を特定し易いという効果がある。また、メニュー画像を利用して、複数の画像の中から１の画像を必要に応じて選択できるので、容易に画像選択を行い得るという効果がある。
【００２５】
請求項８記載の通信装置によれば、請求項７記載の通信装置の奏する効果に加えて、次の効果を奏する。メニュー画像を利用し、タッチパネル方式で複数の画像の中から１の画像を選択できるので、容易な操作で画像の選択を行うことができるという効果がある。
【００２６】
請求項９記載の通信プログラムによれば、請求項１記載の通信装置と同様の効果を奏する。
【００２７】
請求項１０記載の通信システムによれば、請求項１記載の通信装置と同様の効果を奏する。
【発明を実施するための最良の形態】
【００２８】
以下、本発明の好ましい実施形態について、添付図面を参照して説明する。図１は、本発明の第１実施形態における多機能周辺装置（以下、「ＭＦＰ（Ｍｕｌｔｉ  Ｆｕｎｃｔｉｏｎ  Ｐｅｒｉｐｈｅｒａｌ）」と称する）１の外観構成を示した斜視図である。
【００２９】
ＭＦＰ１は、電話回線網１００（図２参照）と接続されて電話機能による通話やファクシミリ機能によるデータ送信を行うことができるだけでなく、スキャナ機能、コピー機能、ＰＣプリント機能、及びメディアプリント機能などの各種機能を有する装置である。なお、以下で詳細に説明するが、本実施形態のＭＦＰ１は、通信先となる相手（例えば、受信したＦＡＸデータの送信元の相手や、ＦＡＸデータの転送先とする相手など）についての把握を容易化する装置として構成されている。
【００３０】
ＭＦＰ１の上部には、ファクシミリ機能、スキャナ機能、又は、コピー機能の実行時に原稿を読み取るためのスキャナ２０が配置されている。原稿カバー体８の下側には、原稿を載置するための載置用ガラス板が設けられており、原稿を読み取る場合は、原稿カバー体８を上側に開き、載置用ガラス板上に原稿を載置し、原稿カバー体８を閉じて原稿を固定する。
【００３１】
そして、ユーザにより原稿の読み取りが指示されると、載置用ガラス板の下側に設けられている原稿読取り用のセンサー（図示せず）により原稿紙面の画像が読み取られる。読み取られた画像データは後述のＲＡＭ１３（図２参照）における所定の記憶領域に記憶される。
【００３２】
また、筐体内部には記録用紙に画像を印刷する装置として、所謂インクジェットプリンタで構成されたプリンタ２１が内蔵されている。プリンタ２１は、Ｃ（シアン）、Ｍ（マゼンダ）、Ｙ（イエロー）、Ｋ（ブラック）の４色のインクを使用する印刷ヘッド、紙送り装置、回復装置を備えカラー印刷を行う。印刷ヘッドには複数個のノズル（インク吐出口）が設けられており、ノズルからインク吐出を行いながら、紙送り装置で記録用紙を送り画像を記録用紙に印刷する。
【００３３】
原稿カバー体８の前方には、横長形状の操作パネル６が設けられており、操作キー１５、ＬＣＤ１６、そのＬＣＤ１６と一体的に構成されている周知のタッチパネル１７とを具備する。操作キー１５には、電話機能やファクシミリ機能を利用する場合に電話番号を入力するための数字ボタン１５ａや、ＭＦＰ１の電源のオン／オフを行うための電源ボタン１５ｂなどの各種ボタンが設けられている。
【００３４】
ＬＣＤ１６は、画像や情報を表示する表示画面であり、例えば、操作手順や実行中の処理の状態が表示されると共に、操作キー１５やタッチパネル１７の押下に対応する情報が表示される。
【００３５】
また、ＭＦＰ１の電話機能やファクシミリ機能を利用する場合に、その機能に応じた各種画面がＬＣＤ１６に表示される。例えば、ＭＦＰ１のファクシミリ機能を利用する場合には、受信画面５１（例えば、図４（ａ）参照）や、受信履歴画面５２（例えば、図４（ｂ）参照）や、受信ＦＡＸ表示画面５５（例えば、図４（ｄ）参照）や、送信画面５３（例えば、図７（ａ）参照）や、ＦＡＸ転送モード画面５６（例えば、図９（ａ）参照）や、転送するファクシミリに対するページ指定画面５７（例えば、図９（ｂ）参照）や、などが表示される。
【００３６】
詳細は後述するが、本実施形態のＭＦＰ１は、受信画面５１や送信画面５３などをＬＣＤ１６に表示する際に、電話帳メモリ１４ｂ（図２参照）に予め登録（記憶）されている人物について、その人物に関する情報（以下、「人物情報」と称する場合がある）と、その人物を含む画像とを表示するように構成されている。
【００３７】
ＭＦＰ１の側部には、送受話器２２が設けられている。この送受話器２２は、ユーザが電話機能を使用して、電話回線網１００（図２参照）を介して接続される外部装置との間で通話を行う場合に使用される。非通話時には、送受話器２２はフック（図示しない）が設けられた載置台上に置かれ、通話時には載置台から取り上げられて使用される。尚、本実施形態では、前者をオンフック状態、後者をオフフック状態と称す。送受話器２２は、オフフック状態となるとＮＣＵ２３（図２参照）と電気的に接続され、オンフック状態となると、ＮＣＵ２３との接続が解除される。
【００３８】
次に、図２を参照して、ＭＦＰ１の電気的構成について説明する。図２は、ＭＦＰ１の電気的構成を示すブロック図である。ＭＦＰ１は、ＣＰＵ１１、ＲＯＭ１２、ＲＡＭ１３、ＥＥＰＲＯＭ１４、操作キー１５、ＬＣＤ１６、タッチパネル１７、計時回路１８、スキャナ２０、プリンタ２１、送受話器２２、ＮＣＵ２３、モデム２４とを主に有している。
【００３９】
ＣＰＵ１１、ＲＯＭ１２、ＲＡＭ１３は、バスライン２６を介して互いに接続されている。また、ＥＥＰＲＯＭ１４、操作キー１５、ＬＣＤ１６、タッチパネル１７、計時回路１８、スキャナ２０、プリンタ２１、送受話器２２、ＮＣＵ２３、モデム２４、バスライン２６は、入出力ポート２７を介して互いに接続されている。
【００４０】
ＣＰＵ１１は、ＲＯＭ１２やＲＡＭ１３に記憶される固定値やプログラム或いは、ＮＣＵ２３を介して送受信される各種信号に従って、ＭＦＰ１が有している各機能の制御や、入出力ポート２７と接続された各部を制御するものである。
【００４１】
ＲＯＭ１２は、ＣＰＵ１１により実行される制御プログラムや、その実行の際に参照される固定値データが記憶されている。なお、ＲＯＭ１２は、後述する図５、図６、図９、及び図１１に示すフローチャートを実行させることによって、通信先となる相手、即ち、送信元の相手や転送先の相手についての把握を容易化する装置としてＭＦＰ１を機能させる通信プログラム１２ａを記憶する領域を有している。また、ＲＡＭ１３は、書き替え可能な揮発性のメモリであり、ＭＦＰ１の各操作の実行時に各種のデータを一時的に記憶するためのメモリである。
【００４２】
ＥＥＰＲＯＭ１４は、データを書き換え可能に記憶すると共に、電源遮断後も内容を保持可能な不揮発性のメモリである。図２に示すように、ＥＥＰＲＯＭ１４は、画像メモリ１４ａと、電話帳メモリ１４ｂと、送信履歴メモリ１４ｃと、受信履歴メモリ１４ｄと、人物から写真フラグ１４ｅと、受信ＦＡＸメモリ１４ｆと、送信ＦＡＸメモリ１４ｇと、カバーページフラグ１４ｈと、カバーページメモリ１４ｉと、ユーザ情報メモリ１４ｊとを有している。
【００４３】
画像メモリ１４ａは、画像データを記憶する領域である。この画像メモリ１４ａには、ケーブルを介してＭＦＰ１のインターフェイス（図示せず）に接続されたデジタルカメラなどの撮像装置やパーソナルコンピュータなどの外部装置から入力される画像データや、ＭＦＰ１のメディアスロット（図示せず）に装着された外部メディア（例えば、ＳＤカード（登録商標）やスマートメディア（登録商標）など）から読み出された画像データや、スキャナ２０により読み取った写真の画像データなどが記憶される。
【００４４】
電話帳メモリ１４ｂは、電話機能やファクシミリ機能などを用いて通信を行う際に使用する通信相手を指定する情報（例えば、電話番号やファクシミリ番号や電子メールアドレスなど）と、その通信相手を特定する情報（例えば、氏名や住所など）とを対応付けた所謂電話帳を記憶する領域である。
【００４５】
本実施形態のＭＦＰ1は、画像を電話帳として利用できる構成とされている。そのため、図２に示すように、電話帳メモリ１４ｂは、氏名や電話番号などの人物情報を記憶する領域である人物情報メモリ１４ｂ１と、人物情報メモリ１４ｂ１に記憶されている人物情報に対して画像データを対応付ける領域である画像情報メモリ１４ｂ２とを有している。なお、人物情報メモリ１４ｂ１及び画像情報メモリ１４ｂ２に記憶されるデータの構成については、図３を参照して後述する。
【００４６】
送信履歴メモリ１４ｃは、ＭＦＰ１のファクシミリ機能を用いてユーザがファクシミリ（ＦＡＸ）の送信を行った場合に、その送信時刻と、送信相手を示す情報（例えば、ファクシミリ番号）と、送信時に送信画面５３（図７参照）の表示領域５３ａに表示した写真（画像）とを履歴として記憶する領域である。なお、送信履歴メモリ１４ｃに記憶される履歴を、以下、「送信履歴」と称することがある。
【００４７】
また、受信履歴メモリ１４ｄは、ＭＦＰ１が外部（通信相手、送信元の相手）からＦＡＸデータ（ファクシミリデータ）を受信した場合に、その受信時刻と、ＦＡＸの送信元の相手を示す情報（例えば、ファクシミリ番号）と、受信ＦＡＸメモリ１４ｆにおける受信データ（受信ＦＡＸデータ）の格納領域を示す情報とを履歴として記憶する領域である。なお、受信履歴メモリ１４ｄに記憶される履歴を、以下、「受信履歴」と称することがある。なお、この受信履歴メモリ１４ｄに記憶される履歴は、対応する受信データが受信ＦＡＸメモリ１４ｆから削除されると履歴から削除される。
【００４８】
また、人物から写真フラグ１４ｅは、後述するＦＡＸ送信処理（図８参照）において、人物情報に基づいてその人物情報に対応する写真を抽出するモードであるか否かを示すフラグである。この人物から写真フラグ１４ｅがオンであれば、人物情報に基づいてその人物情報に対応する写真を抽出するモードであることを示す。一方、この人物から写真フラグ１４ｅがオフである場合には、写真から人物情報を抽出するモードであることを示す。
【００４９】
受信ＦＡＸメモリ１４ｆは、ＭＦＰ１が外部（通信相手、送信元の相手）からＦＡＸデータを受信した場合に、そのＦＡＸデータ（ページデータ）を記憶するためのメモリである。なお、この受信ＦＡＸメモリ１４ｆに記憶されたＦＡＸデータは、その内容を示す画像を受信ＦＡＸ表示画面５５（図４（ｄ））に表示させた状態で削除ボタン５５ｃがタッチされた場合に削除（消去）される。
【００５０】
送信ＦＡＸメモリ１４ｇは、ＭＦＰ１が外部（通信相手、送信先又は転送先の相手）へ送信するＦＡＸデータ（ページデータ）を記憶するためのメモリである。外部へ送信するためのＦＡＸデータは、スキャナ２０による読み込みや、図示されない外部メディアスロットに挿入された外部メディア（例えば、コンパクトフラッシュ（登録商標）やＳＤカード（登録商標）など）からの読み込みにより、送信ＦＡＸメモリ１４ｇに記憶させることができる。
【００５１】
また、詳細は後述するが、本実施形態のＭＦＰ１は、受信したＦＡＸデータを第三者へ転送できるように構成されている。受信したＦＡＸデータを第三者へ転送する場合には、転送処理（図１１参照）において、受信したＦＡＸデータから作成された転送データが、外部へ転送（送信）するためのＦＡＸデータとして送信ＦＡＸメモリ１４ｇに記憶される。
【００５２】
カバーページフラグ１４ｈは、受信したＦＡＸデータを第三者へ転送する場合に、カバーページを自動的に作成するか否かを示すフラグである。このカバーページフラグ１４ｈがオンであれば、受信したＦＡＸデータの転送時に、受信したＦＡＸデータの送信元の相手に関する情報などを含むカバーページが自動作成されて、転送するＦＡＸデータに付加される。
【００５３】
このカバーページフラグ１４ｈは、後述する転送処理（図１１参照）において、ＦＡＸ転送モード画面５６（図９（ａ）参照）における自動カバーページ作成ボタン５６ｄがタッチされた場合にオンされ、その後に実行されるＦＡＸ送信処理（図８参照）において、作成されたカバーページのページデータが転送するＦＡＸデータに付加されとオフされる。
【００５４】
カバーページメモリ１４ｉは、ＦＡＸ転送モード画面５６（図９（ａ）参照）における自動カバーページ作成ボタン５６ｄがタッチされたことに基づき、後述する転送処理（図１１参照）において自動作成されたカバーページのページデータを記憶するためのメモリである。
【００５５】
ユーザ情報メモリ１４ｊは、ＭＦＰ１を特徴付けるユーザ情報を記憶する領域である。なお、ユーザ情報メモリ１４ｊに記憶されるユーザ情報としては、例えば、ＭＦＰ１との通信を可能とする情報（例えば、ファクシミリ番号や電話番号や電子メールアドレスなど）や、ＭＦＰ１のユーザに関する情報（例えば、氏名や住所など）などがある。
【００５６】
計時回路１８は、現在の日時を刻む時計機能を有する既知の回路である。ＮＣＵ２３は、電話回線網１００と接続されており、電話回線網１００へのダイヤル信号の送出や、電話回線網１００からの呼出信号の応答などの制御を行うものである。モデム２４は、ファクシミリ機能により送信が指示された画像データを、電話回線網１００に伝送可能な信号に変調してＮＣＵ２３を介して送信したり、電話回線網１００からＮＣＵ２３を介して入力された信号を受信し、ＬＣＤ１６に表示したりプリンタ２１で記録可能な画像データに復調するものである。
【００５７】
次に、図３を参照して、上述した人物情報メモリ１４ｂ１及び画像情報メモリ１４ｂ２に記憶されるデータ構成について説明する。図３（ａ）は、人物情報メモリ１４ｂ１に記憶されるデータ構成の一例を示す模式図であり、図３（ｂ）及び図３（ｃ）は、それぞれ、画像情報メモリ１４ｂ２に記憶されるデータ構成の一例を示す模式図である。
【００５８】
図３（ａ）に示すように、人物情報メモリ１４ｂ１には、電話帳登録された人物毎に、人物情報ＰＤと、その人物情報ＰＤを個々に識別可能とする人物番号Ｐ１とが対応付けられて記憶されている。
【００５９】
人物情報ＰＤは、例えば、通信先の名称を示す情報である氏名Ｐ２や通信先を示す情報であるファクシミリ番号Ｐ３を示す情報を含んで構成される。また、氏名Ｐ２及びファクシミリ番号Ｐ３以外に、付加的な情報である住所Ｐ４（図４（ａ）など参照）や個人の特徴などを示す情報が人物情報ＰＤに含まれる。なお。通信先を示す情報として、ファクシミリ番号Ｐ３以外に電話番号や電子メールアドレスなどが含まれていてもよい。
【００６０】
人物番号Ｐ１は、登録された人物毎に異なる番号が割り当てられるように構成されており、各人の人物情報ＰＤを特定する識別情報として人物情報メモリ１４ｂ１に記憶される情報である。なお、図３（ａ）では、人物番号Ｐ１が１から始まる連番である場合を例示しているが、登録された人物毎に異なる番号を割り当てるという条件さえ満たされるのであれば、１から始まっていなくても、連番でなくてもよい。
【００６１】
一方、図３（ｂ）及び図３（ｃ）に示すように、画像情報メモリ１４ｂ２には、画像名Ｑ１によって特定される１の画像データ毎に、領域情報Ｑ２と、人物番号Ｑ３とが対応付けられている。
【００６２】
画像名Ｑ１は、画像データメモリ１４ａに記憶されている画像データの中から、１の画像データを特定する情報であり、画像データに付されたファイル名や内部番号などを使用できる。即ち、この画像名Ｑ１の内容によって、画像データメモリ１４ａに記憶されている１の画像データが特定される。
【００６３】
従って、図３（ｂ）は、画像データメモリ１４ａに記憶されている画像データのうち「近所友人」の写真（画像）に対するデータ構成を示す模式図であり、図３（ｃ）は、画像データメモリ１４ａに記憶されている画像データのうち「会社同僚」の写真に対するデータ構成を示す模式図である。
【００６４】
領域情報Ｑ２は、画像名Ｑ１により特定される画像データの描画領域内に設定されている領域を示す情報であり、該領域の形状を示す情報（「形状」）と、該領域の大きさを示す情報（「大きさ」）と、画像データにおける該領域の位置を特定する座標情報（「Ｘ方向」及び「Ｙ方向」）とを含んで構成される。なお、この座標情報としては、例えば、領域の中心座標が使用される。
【００６５】
人物番号Ｑ３は、領域情報Ｑ２により特定される領域に対応付けられる人物情報を特定する番号であり、人物情報メモリ１４ｂ１（図３（ａ））に記憶されている人物番号Ｐ１の中から選択されて記憶される。よって、領域情報Ｑ２により特定される領域に対して、人物番号Ｑ３が対応付けられることにより、領域情報Ｑ２により特定される領域に対し、人物情報メモリ１４ｂ１において人物番号Ｑ３に対応する人物情報ＰＤが対応付けられることになる。
【００６６】
例えば、図３（ｂ）に示すように、「近所友人」の写真内における（Ｘ方向，Ｙ方向，形状，大きさ）が（７，５，楕円２，１．６）である領域に対し、人物番号「１」が対応付けられている場合には、かかる領域に対し、人物情報メモリ１４ｂ１（図３（ａ））における人物番号「１」に対応する人物情報ＰＤ、即ち、氏名Ｐ２が「鈴木次郎」であり、ファクシミリ番号Ｐ３が「０５２−ｘｘｘ−１１１１」である人物情報が対応付けられることになる。
【００６７】
また、図３（ｂ）に示すように、「近所友人」の写真には、上述した領域以外に、２か所の領域が設定されており、これらの領域に対しては、人物番号「２」により特定される人物情報ＰＤ（「加藤太郎」など）、及び人物番号「３」により特定される人物情報ＰＤ（「木村Ａ介」など）が対応付けられている。このように、本実施形態のＭＦＰ１では、１枚の画像データ（画像、写真）に対し、複数の人物情報ＰＤを対応付けることができるように構成されている。
【００６８】
同様に、「会社同僚」の写真には、３か所の領域が設定されており、これらの領域に対して、人物番号「１」により特定される人物情報ＰＤ（「鈴木次郎」など）、人物番号「４」により特定される人物情報ＰＤ（「高橋Ｂ二」など）、及び人物番号「５」により特定される人物情報ＰＤ（「佐藤Ｃ作」など）が対応付けられている（図３（ｃ）参照）。
【００６９】
ここで、「近所友人」の写真及び「会社同僚」の写真の両方に、人物番号「１」により特定される同一人物の人物情報ＰＤが対応付けられている。このように、本実施形態のＭＦＰ１では、人物番号Ｑ１（人物番号Ｐ１）によって人物情報メモリ１４ｂ１から人物情報ＰＤを参照するように構成されているので、画像データ毎に、人物情報を対応付けて記憶する必要がない。従って、複数の画像データに対して同じ人物情報を対応付ける場合であっても、ＥＥＰＲＯＭ１４における記憶領域の無駄な消費を抑制することができる。
【００７０】
また、複数の写真（画像、画像データ）に対して同じ人物情報ＰＤを対応付ける必要がある場合には、時間的に後で人物情報ＰＤを対応付けることになった写真（例えば、「会社同僚」の写真）に対し、既に他の写真（例えば、「近所友人」の写真）に対応付けられている人物情報ＰＤを用いて対応付けるので、ＣＰＵ１１は各写真に対応付けられている人物情報の同一性を認識することができる。よって、どの写真からも同じ人物情報ＰＤを抽出できると共に、人物情報ＰＤからその人物情報ＰＤを含む全ての写真を抽出することができる。
【００７１】
次に、図４から図６を参照して、電話帳メモリ１４ｂに記憶（登録）された写真を利用して、ＦＡＸデータ（ファクシミリデータ）の送信元の相手をユーザに知らせる場合について説明する。まず、図４を参照して、図５及び図６のフローチャートにより示すＦＡＸ受信処理の実行中にＬＣＤ１６に表示される画面、及び、受信したＦＡＸデータの内容を示す画像を表示させる画面について説明する。図４は、後述するＦＡＸ受信処理（図５及び図６参照）の実行中にＬＣＤ１６に表示される画面、及び、受信したＦＡＸデータの内容を示す画像を表示させる画面の模式図である。
【００７２】
図４（ａ）は、ＦＡＸデータ（ファクシミリデータ）の受信要求があった場合にＬＣＤ１６に表示される受信画面５１を示す模式図である。図４（ａ）に示すように、受信画面５１では、ＬＣＤ１６を２つに分割し、そのうち向かって左側には、１枚の写真（画像）を表示できる表示領域５１ａが設けられている。
【００７３】
詳細は後述するが、ＦＡＸデータの受信要求があった場合には、ＦＡＸ受信処理（図５参照）の一部である受信画面表示処理（図６参照）により予め決められているルールに従って選択された１の写真が表示される。その際、ＦＡＸデータの送信元である相手（通信先の相手）が電話帳メモリ１４ｂに記憶されている人物であれば、送信元の相手に対応する領域５１ｂが、人物情報ＰＤが対応付けられている他の領域５１ｃとは区別可能に点滅して強調される。
【００７４】
このように、表示領域５１ａに写真が表示（出力）された場合に、送信元の相手に対応する領域５１ｂが、人物情報ＰＤが対応付けられている他の領域５１ｃと異なる態様で区別されるので、ＦＡＸデータを送信した相手（送信元の相手）を容易に特定できる。
【００７５】
また、ＦＡＸデータの受信要求があった場合、ＬＣＤ１６に表示された受信画面５１における向かって右側の領域５１ｄには、「ＦＡＸ受信あり」という表示５１ｅと、回線の閉結を手動で指示する受信ボタン５１ｆとが表示されると共に、ＦＡＸデータの受信要求をしてきた通信相手が電話帳メモリ１４ｂに記憶されている相手であれば、通信相手の人物情報ＰＤが表示される。ここで、受信画面５１の表示中に、ユーザが受信ボタン５１ｆをタッチすると、回線が閉結されてＦＡＸデータの受信が開始される。
【００７６】
よって、本実施形態ＭＦＰ１によれば、ＦＡＸデータの受信時に、そのＦＡＸデータの送信元の相手（ＦＡＸデータの受信要求をした相手）を含む写真と人物情報ＰＤとが同時にＬＣＤ１６に表示されるので、人物情報ＰＤから、ＦＡＸデータの送信元の相手に関する直接的な情報を得ることができると共に、対応する写真から、ＦＡＸデータの送信元の相手に関する間接的な情報（例えば、その相手を含む人間関係など）を得ることができ、ユーザはＦＡＸデータの送信元の相手の把握を行い易い。
【００７７】
また、図４（ａ）に示すように、氏名Ｐ２とファクシミリ番号Ｐ３と住所Ｐ４とが、人物情報ＰＤとして受信画面５１（領域５１ｄ）に表示される。このように、受信画面５１には、氏名Ｐ２やファクシミリ番号Ｐ３以外に住所Ｐ４のような付加的な情報が表示されるので、ユーザが通信相手を連想し易く特定し易い。
【００７８】
なお、ＦＡＸデータの送信元の相手（ＦＡＸデータの受信要求をした相手）を含む写真が複数存在する場合には、図４（ａ）に示すように、ＦＡＸデータの送信元の相手を含む写真の写真名が表記された複数のタブ５１ｇが表示され、ユーザがタッチすることによって表示領域５１ａに表示する写真を変更することができる。よって、ユーザは、タブ５１ｇを適宜タッチして表示領域５１ａに表示する写真を切り替えることによって、ＦＡＸデータの受信要求をしてきた相手に関する情報をよく把握した上でＦＡＸデータの受信を開始することができる。
【００７９】
図４（ｂ）及び（ｃ）は、ＦＡＸデータの受信履歴の状況を示す受信履歴画面５２を示す模式図である。より具体的には、図４（ｂ）は、受信履歴メモリ１４ｄに記憶されている受信履歴が１件である場合の受信履歴画面５２を示す模式図であり、図４（ｃ）は、受信履歴が複数ある場合の受信履歴画面５２を示す模式図である。
【００８０】
図４（ｂ）及び（ｃ）に示すように、ＬＣＤ１６に表示された受信履歴画面５２における向かって左側には、１枚の写真（画像）を表示できる表示領域５２ａが設けられている。この表示領域５２ａの下方には、タブ５２ｂ（図４（ｂ））又はタブ５２ｃ（図４（ｃ）が表示されており、ユーザがタッチすることによって表示領域５２ａに表示する写真を選択することができる。
【００８１】
図４（ｂ）に示すように、受信履歴が１件である場合には、タブ５２ｂには、写真名が表記され、図４（ｃ）に示すように、受信履歴が複数である場合には、タブ５２ｃには、受信時刻が表記される。
【００８２】
ここで、図４（ｂ）に示すように、１件の受信履歴として残された通信相手（ＦＡＸデータの送信元の相手）を含む写真が複数存在する場合には、それらの写真名を含む複数のタブ５２ｂが表示される。また、図４（ｃ）に示すように、受信履歴が複数である場合には、その受信時刻毎にタブ５２ｃが対応付けられる。なお、受信履歴として残されたＦＡＸデータの送信元の相手を複数含む写真が存在する場合には、図４（ｃ）に示すように、１の写真に対して複数のタブ５２ｃが対応付けられる。
【００８３】
ユーザは、タブ５２ｂやタブ５２ｃを適宜タッチして表示領域５２ａに表示する写真を切り替えることができる。そのため、受信履歴が複数あることにより表示すべき写真が複数存在したり、１件の受信履歴として残された通信相手を含む写真が複数存在したりする場合であっても、タブ５２ｃやタブ５２ｂの操作（タッチ）によりそのうちの１の写真のみを表示領域５２ａに表示させることができる。
【００８４】
よって、タブ５２ｃやタブ５２ｂの操作により選択された１の写真を表示領域５２ａ全体に大きく表示できるので、ユーザが表示された写真を目視し易く、受信履歴に残されているＦＡＸデータの送信元の相手を特定し易い。また、タブ５２ｂ，５２ｃを利用して、複数の写真の中から１の写真をユーザの必要に応じて選択できるので、写真の選択を行い易く、使い勝手が良い。
【００８５】
また、図４（ｂ）に示すように、受信履歴画面５２において表示画面５２ａに写真が表示される場合には、受信履歴として残されている通信相手に対応する領域５２ｄが、人物情報ＰＤが対応付けられている他の領域５２ｆとは区別可能に点滅して強調されると共に、その近傍に受信時刻５２ｅが表示される。
【００８６】
このように、受信履歴が存在する場合には、表示領域５２ａに表示される写真内における受信履歴として残されている通信相手（ＦＡＸデータの送信元の相手）に対応する領域が、人物情報ＰＤが対応付けられている他の領域５２ｆとが異なる態様で区別されるので、受信履歴として残されている通信相手を容易に特定できる。
【００８７】
さらに、複数の通信先について受信履歴が存在する場合には、図４（ｃ）に示すように、受信履歴として残されている通信相手（ＦＡＸデータの送信元の相手）に対応する領域５２ｄ，５２ｇが、人物情報ＰＤが対応付けられている他の領域５２ｆとは区別可能に点滅して強調されるだけでなく、受信履歴として残されている通信相手に対応する領域５２ｄ，５２ｇが互いに区別可能な態様（例えば、点滅間隔の相違や点滅色の相違など）で表示される。また、各領域５２ｄ，５２ｇの近傍には、受信時刻５２ｅが表示される。
【００８８】
また、図４（ｃ）に示すように、複数（複数件数）の受信履歴が存在する場合には、最新の受信履歴として残されている通信相手（ＦＡＸデータの送信元の相手）の人物情報ＰＤが対応付けられている写真が優先的に表示される。よって、受信画面５１から受信履歴画面５２に表示が切り替わった場合、又は、ユーザによる指示によって他の画面から受信履歴画面５２へ表示が切り替わった場合には、最新の受信履歴とされる通信相手を含む写真が優先的に表示領域５２ａに表示されるので、ユーザは、受信画面５２から、最近に受信したＦＡＸデータの送信元の相手を知ることができる。
【００８９】
よって、１の写真内において、受信履歴に残されている通信相手に対する各領域が互いに区別可能な態様で出力されるので、ユーザは、１の写真から、複数の受信履歴の存在することを知ることができると共に、受信履歴に残されているそれらの通信相手の関係を表示領域５２ａに出力された１の写真から直感的に把握することができる。
【００９０】
一方、ＬＣＤ１６に表示された受信履歴画面５２における向かって右側の領域５２ｈには、ＦＡＸデータの送信元の相手を示す人物情報ＰＤが表示される。なお、受信履歴が複数である場合には、最新の受信履歴として残されている通信相手（ＦＡＸデータの送信元の相手）の人物情報ＰＤ又はユーザによって選択された写真及び領域に対応付けられた人物情報ＰＤが表示される。
【００９１】
また、図４（ｂ）及び（ｃ）に示すように、領域５２ｈには、氏名Ｐ２と電話番号Ｐ３と住所Ｐ４とが、人物情報ＰＤとして表示される。このように、受信履歴画面５２には、氏名Ｐ２やファクシミリ番号Ｐ３以外に住所Ｐ４のような付加的な情報が表示されるので、受信履歴として残されている通信相手（ＦＡＸの送信元の相手）をユーザが連想し易く、特定し易い。
【００９２】
さらに、図４（ｂ）及び図４（ｃ）に示すように、受信履歴が存在する場合には、表示領域５２ａに表示される写真内における受信履歴として残されている通信相手（ＦＡＸデータの送信元の相手）に対応する各領域（領域５２ｄ，５２ｄ）から延出する吹き出し５２ｊを表示する。この吹き出し５２ｊには、「受信ＦＡＸあり」という文字が書かれており、ユーザは、この吹き出し５２ｊを確認することによって、吹き出し５２ｊに対する領域（領域５２ｄ又は領域５２ｇ）に対応する通信相手からＦＡＸデータを受信したことを知ることができる。
【００９３】
本実施形態のＭＦＰ１は、ユーザが吹き出し５２ｊをタッチすると、タッチされた吹き出し５２ｊに対する領域（領域５２ｄ又は領域５２ｇ）に対応する通信相手から受信したＦＡＸデータの内容を示す画像が、後述する受信ＦＡＸ表示画面５５（図４（ｄ））に表示されるように構成されている。よって、受信履歴が存在する場合には、吹き出し５２ｊをタッチすることにより、その吹き出し５２ｊが示す通信相手から受信したＦＡＸデータの内容を示す画像を表示することができるので、ユーザは、直感的に受信したＦＡＸデータの内容を確認することができる。
【００９４】
このように、本実施形態ＭＦＰ１によれば、受信履歴として残されている通信相手（ＦＡＸデータの送信元の相手）を含む写真と人物情報ＰＤとが同時にＬＣＤ１６に表示されるので、人物情報ＰＤから、受信履歴として残されている通信相手に関する直接的な情報を得ることができると共に、対応する写真から、その相手に関する間接的な情報（例えば、その相手を含む人間関係など）を得ることができ、ユーザは受信履歴として残されている通信相手の把握を行い易い。
【００９５】
図４（ｄ）は、受信履歴画面５２に表示された吹き出し５２ｊがタッチされたことによってＬＣＤ１６に表示される受信ＦＡＸ表示画面５５を示す模式図である。受信ＦＡＸ表示画面５５には、受信したＦＡＸデータの内容を示す画像がページ単位（図４（ｄ）に示す例では、ページＰｇ１，Ｐｇ２，Ｐｇ３）でサムネイル表示されると共に、画像として表示されたＦＡＸデータに対する処理を指示するための機能ボタンとして、印刷ボタン５５ａ、転送ボタン５５ｂ、及び削除ボタン５５ｃが表示される。
【００９６】
印刷ボタン５５ａは、受信ＦＡＸ表示画面５５に表示中のページＰｇ１，Ｐｇ２，Ｐｇ３、即ち、受信履歴画面５２においてタッチされた吹き出し５２ｊが示す通信相手から受信したＦＡＸデータの内容を印刷するよう指示するためのボタンであり、タッチされると、受信ＦＡＸ表示画面５５に表示中のページＰｇ１，Ｐｇ２，Ｐｇ３がプリンタ２１により記録用紙に印刷される。
【００９７】
一方、削除ボタン５５ｃは、受信ＦＡＸ表示画面５５に表示中のページＰｇ１，Ｐｇ２，Ｐｇ３に対応するＦＡＸデータを受信ＦＡＸメモリ１４ｆから削除するよう指示するためのボタンであり、タッチされると、対応するＦＡＸデータが受信ＦＡＸメモリ１４ｆから削除される。
【００９８】
また、転送ボタン５５ｂは、受信ＦＡＸ表示画面５５に表示中のページＰｇ１，Ｐｇ２，Ｐｇ３の少なくとも一部を第三者に転送することを指示するためのボタンである。詳細は後述するが、かかる転送ボタン５５ｂがタッチされると、転送処理（図１１参照）が起動し、ＦＡＸ転送モード画面５６（図９（ａ）参照）がＬＣＤ１６に表示されて、ページＰｇ１，Ｐｇ２，Ｐｇ３の少なくとも一部を第三者に転送することが可能となる。
【００９９】
次に、図５及び図６を参照して、ＦＡＸデータの受信要求があった場合の処理であるＦＡＸ受信処理の内容について説明する。図５は、ＭＦＰ１で実行されるＦＡＸ受信処理を示すフローチャートであり、図６は、図５のＦＡＸ受信処理の中で実行される受信画面表示処理を示すフローチャートである。
【０１００】
このＦＡＸ受信処理は、所定の通信相手からＦＡＸデータの受信要求があった場合に起動し、まず、受信画面５１をＬＣＤ１６に表示する受信画面表示処理（Ｓ１）を実行する。なお、この受信画面表示処理（Ｓ１）における具体的処理については図６を参照しつつ後述する。
【０１０１】
受信画面表示処理（Ｓ１）により受信画面５１が表示されると、呼出鳴動を開始し（Ｓ２）、自動受信であるか否か、即ち、自動受信の設定がされているか否かを確認する（Ｓ３）。Ｓ３の処理により確認した結果、自動受信の設定がされている場合には（Ｓ３：Ｙｅｓ）、自動受信として設定されている設定期間が経過したか（例えば、呼出鳴動が所定回数行われたか）を確認する（Ｓ４）。
【０１０２】
Ｓ４の処理により確認した結果、自動受信として設定されている設定期間が経過していれば（Ｓ４：Ｙｅｓ）、Ｓ５の処理へ移行する。一方で、Ｓ４の処理により確認した結果、自動受信として設定されている設定期間が経過していなければ（Ｓ４：Ｎｏ）、受信画面５１に表示されている受信ボタン５１ｆがタッチされたかを確認する（Ｓ９）。
【０１０３】
Ｓ９の処理により確認した結果、受信ボタン５１ｆがタッチされた場合には（Ｓ９：Ｙｅｓ）、Ｓ５の処理へ移行する。
【０１０４】
一方で、Ｓ９の処理により確認した結果、受信ボタン５１ｆがタッチされていなければ（Ｓ９：Ｎｏ）、呼出が終了したか、即ち、ＦＡＸデータの受信要求が終了したかを確認する（Ｓ１０）。ここで、Ｓ１０の処理により確認した結果、呼出が継続されていれば（Ｓ１０：Ｎｏ）、Ｓ３の処理へ戻る。
【０１０５】
Ｓ５の処理では、ＦＡＸデータの受信を開始する（Ｓ５）。Ｓ５の処理後、受信したデータを受信ＦＡＸメモリ１４ｆに記憶し（Ｓ６）、受信履歴として、ＦＡＸデータの受信要求を受けた時刻（受信時刻）と、ＦＡＸの送信元の相手を示す情報としてのファクシミリ番号と、受信ＦＡＸメモリ１４ｆに記憶（格納）されたＦＡＸデータの格納領域を示す情報とを受信履歴メモリ１４ｄに記憶する（Ｓ７）。
【０１０６】
Ｓ７の処理後、受信画面５１に換えて受信履歴画面５２をＬＣＤ１６に表示して（Ｓ８）、このＦＡＸ受信処理を終了する。なお、Ｓ８の処理によって受信履歴画面５２をＬＣＤ１６に表示する場合、表示領域５２ａに最初に表示する画像は、図６を参照しつつ後述する受信画面表示処理（Ｓ１）と同様のルールに従って選択される。
【０１０７】
次に、図６を参照して、上述した受信画面表示処理（Ｓ１）で実行される具体的処理について説明する。図６に示すように、この受信画面表示処理（Ｓ１）では、まず、受信履歴メモリ１４ｄに受信履歴が記憶されているかを確認する（Ｓ１１）。
【０１０８】
Ｓ１１の処理により確認した結果、受信履歴メモリ１４ｄに受信履歴が記憶されている場合には、ＦＡＸデータの受信要求（通信要求）をしている通信相手（即ち、ＦＡＸデータの送信元となる相手）が受信履歴として残されている他人と共に写っている写真が電話帳メモリ１４ｂ（画像情報メモリ１４ｂ２）に登録されているかを確認する（Ｓ１２）。
【０１０９】
Ｓ１２の処理により確認した結果、ＦＡＸデータの受信要求をしている通信相手が受信履歴として残されている他人と共に写っている写真が電話帳メモリ１４ｂに登録されている場合には（Ｓ１２：Ｙｅｓ）、その写真、即ち、ＦＡＸデータの受信要求をしている通信相手と受信履歴として残されている他人とが共に写っている写真を用いて受信画面５１をＬＣＤ１６に表示する（Ｓ１３）。このとき、ＦＡＸデータの受信要求をしてきた通信相手に対応付けられている領域を他の部分と区別可能するべく点滅表示する（図４（ａ）参照）。
【０１１０】
一方で、Ｓ１１の処理により確認した結果、受信履歴メモリ１４ｄに受信履歴が記憶されていない場合（Ｓ１１：Ｎｏ）、あるいは、Ｓ１２の処理により確認した結果、ＦＡＸデータの受信要求をしている通信相手と受信履歴として残されている他人とが共に写っている写真が電話帳メモリ１４ｂに登録されていない場合（Ｓ１２：Ｎｏ）には、ＦＡＸデータの受信要求への送信履歴が送信履歴メモリ１４ｃに記憶されているかを確認する（Ｓ１４）。
【０１１１】
Ｓ１４の処理により確認した結果、ＦＡＸデータの受信要求をしている通信相手への送信履歴が送信履歴メモリ１４ｃに記憶されている場合には（Ｓ１４：Ｙｅｓ）、送信履歴メモリ１４ｃに記憶されている送信履歴の中から、最後の送信時に使用した写真を用いて受信画面５１をＬＣＤ１６に表示する（Ｓ１５）。このとき、ＦＡＸデータの受信要求をしてきた通信相手に対応付けられている領域を他の部分と区別可能するべく点滅表示する（図４（ａ）参照）。
【０１１２】
一方で、Ｓ１４の処理により確認した結果、ＦＡＸデータの受信要求をしている通信相手への送信履歴が送信履歴メモリ１４ｃに存在しなければ（Ｓ１４：Ｎｏ）、ＦＡＸデータの受信要求をしてきた通信相手に対応付けられている写真が電話帳メモリ１４ｂ（画像情報メモリ１４ｂ２）に複数存在するか否かを確認する（Ｓ１６）。
【０１１３】
Ｓ１６の処理により確認した結果、ＦＡＸデータの受信要求をしてきた通信相手に対応付けられている写真が複数存在する場合には（Ｓ１６：Ｙｅｓ）、その中に集合写真（即ち、複数の被写体が写っている写真）があるかを確認する（Ｓ１７）。
【０１１４】
Ｓ１７の処理により確認した結果、集合写真がある場合には（Ｓ１７：Ｙｅｓ）、集合写真のうち、最初に電話帳メモリ１４ｂに記憶（登録）した写真を用いて受信画面５１をＬＣＤ１６に表示する（Ｓ１８）。このとき、ＦＡＸデータの受信要求をしてきた通信相手に対応付けられている領域を他の部分と区別可能するべく点滅表示する（図４（ａ）参照）。
【０１１５】
一方で、Ｓ１８の処理により確認した結果、集合写真がなければ（Ｓ１８：Ｎｏ）、最初に電話帳メモリ１４ｂに記憶した写真を用いて受信画面５１をＬＣＤ１６に表示する（Ｓ２０）。このとき、ＦＡＸデータの受信要求をしてきた通信相手に対応付けられている領域を他の部分と区別可能するべく点滅表示する（図４（ａ）参照）。
【０１１６】
また、Ｓ１６の処理により確認した結果、ＦＡＸデータの受信要求をしてきた通信相手に対応付けられている写真が複数存在しない場合には（Ｓ１６：Ｎｏ）、ＦＡＸデータの受信要求をしてきた通信相手に対応付けられている写真が電話帳メモリ１４ｂに存在するかを確認する（Ｓ１９）。
【０１１７】
Ｓ１９の処理により確認した結果、ＦＡＸデータの受信要求をしてきた通信相手に対応付けられている写真が電話帳メモリ１４ｂに存在するのであれば（Ｓ１９：Ｙｅｓ）、最初に電話帳メモリ１４ｂに記憶したその１枚の写真を用いて受信画面５１をＬＣＤ１６に表示する（Ｓ２０）。このとき、ＦＡＸデータの受信要求をしてきた通信相手に対応付けられている領域を他の部分と区別可能するべく点滅表示する（図４（ａ）参照）。
【０１１８】
一方で、Ｓ１９の処理により確認した結果、ＦＡＸデータの受信要求をしてきた通信相手に対応付けられている写真が電話帳メモリ１４ｂに存在しなければ（Ｓ１９：Ｎｏ）、ＦＡＸデータの受信要求してきた通信相手とは無関係に予め決められた画像（例えば、人物を模った形状と「ＮＯ  ＤＡＴＡ」という文字とが表示される画像など）を用いて受信画面５１をＬＣＤ１６に表示する（Ｓ２１）。
【０１１９】
Ｓ１３、Ｓ１５、Ｓ１８、Ｓ２０、又はＳ２１の処理後は、この受信画面表示処理（Ｓ１）を終了し、ＦＡＸ受信処理（図５参照）へ戻る。
【０１２０】
よって、本実施形態のＭＦＰ１で実行されるＦＡＸ受信処理によれば、ＦＡＸデータの受信要求があった場合には、受信画面表示処理（Ｓ１）により、予め決められているルールに従って選択された１の写真が受信画面５１の表示領域５１ａに表示されることになる。また、ＦＡＸデータの受信要求に応じてＦＡＸデータを受信した場合には、予め決められているルール（受信画面表示処理（Ｓ１）と同様のルール）に従って選択された１の写真が受信履歴画面５２の表示領域５２ａに表示されることになる。よって、ユーザは表示領域５１ａ，５２ａに表示された写真全体を参照して、その通信先（即ち、ＦＡＸデータの受信要求をしてきた通信相手、又は、受信したＦＡＸデータの送信元の相手）に関する付加的な情報を容易に得ることができる。
【０１２１】
ここで、本実施形態では、受信画面５１の表示領域５１ａに表示される写真、及び、受信履歴画面５２の表示領域５２ａに表示される写真が、予め決められているルールに基づき、優先的に表示される写真が決定される。
【０１２２】
このルールによれば、まず、現在処理中の相手（即ち、ＦＡＸデータの受信要求をしてきた通信相手、又は、受信したＦＡＸデータの送信元の相手）以外の他の相手の受信履歴が既に存在する場合には、現在処理中の相手と受信履歴として残されている他人とが共に写っている写真が最優先で表示領域５１ａ，５２ａに表示される。即ち、電話帳メモリ１４ｂに登録されている写真の中から、現在処理中の相手（ＦＡＸデータの受信要求をしてきた最新の通信相手）を含む複数の人物情報ＰＤに対応付けられている写真が優先的に表示されるので、ユーザは、１の写真から複数の通信相手からＦＡＸデータの受信要求（過去の受信要求を含む）があったことを知ることができ、効率的である。
【０１２３】
次に優先して表示領域５１ａ，５２ａに表示される写真は、現在処理中の相手に対する送信履歴の中から最後の送信時に使用した写真である。このように、送信履歴に残されている写真が表示されるので、ユーザ自身が過去にＦＡＸデータの送信要求をした記憶に基づいて、ＦＡＸデータの受信要求をしてきた通信相手を知ることができる。特に、送信履歴の中から最後の送信時に使用した写真が表示されるので、ユーザ自身が、ＦＡＸデータの受信要求をしてきた通信相手を思い出し易い。
【０１２４】
その次に優先して表示領域５１ａ，５２ａに表示される写真は、現在処理中の相手を含む集合写真（即ち、複数の被写体が写っている写真）である。このように、集合写真が表示されるので、ユーザは、表示された集合写真を参照することによって、ＦＡＸデータの受信要求をしてきた通信相手に関し、例えば、その相手を含む人間関係などの間接的な情報を得ることができ、多く情報を得ることができる。
【０１２５】
また、電話帳メモリ１４ｂに最初に登録された写真、即ち、人物情報ＰＤが最初に人物情報メモリ１４ｂ１に記憶された際に対応付けられた写真が優先的に使用されるので、ユーザが人物情報ＰＤと写真との対応を取り易く、ユーザが、ＦＡＸデータの受信要求をしてきた通信相手を把握し易い。
【０１２６】
次に、図７及び図８を参照して、電話帳メモリ１４ｂに記憶された電話帳を利用して所定の通信相手へＦＡＸデータを送信又は転送する場合について説明する。まず、図７を参照して、図８のフローチャートにより示すＦＡＸ送信処理の実行中にＬＣＤ１６に表示される送信画面５３について説明する。図６は、送信画面５３を示す模式図である。
【０１２７】
図７（ａ）は、所望の人物情報ＰＤを含む写真を選択する際の送信画面５３の状態を示す図である。かかる送信画面５３では、ＬＣＤ１６を２つに分割し、そのうち左側に１枚の写真（画像）を表示できる表示領域５３ａが設けられており、この表示領域５３ａに１の写真が表示される。
【０１２８】
この表示領域５３ａの下方には、表示領域５３ａに表示する写真を選択可能なタブ５３ｂが表示される。ユーザは、自身の指などで所望の送信先又は転送先（送信相手）を含む写真に対応するタブ５３ｂをタッチすることにより、タッチされたタブ５３ｂに対応する写真を表示領域５３ａに表示させることができる。
【０１２９】
よって、本実施形態のＭＦＰ１によれば、タブ５３ｂを利用し、タッチパネル方式で複数の写真の中から、送信先又は転送先を含む１の写真を選択できるので、容易な操作で画像の選択を行うことができる。
【０１３０】
また、ユーザは、タブ５３ｂを適宜タッチして表示領域５３ａに表示する写真を切り替えることができる。そのため、複数の写真の中から送信先又は転送先を含む写真を探す場合において、タブ５３ｂの操作（タッチ）によりそのうちの１の写真のみを表示領域５３ａに表示させることができる。よって、表示領域５３ａに１の写真を大きく表示することができ、画像の中から所望の送信先又は転送先を特定し易い。
【０１３１】
図７（ｂ）は、表示領域５３ａに表示中の写真内から所望の送信先又は転送先の人物情報ＰＤが対応付けられている領域（ボタン）がタッチされた際の送信画面５３の状態を示す図である。人物情報ＰＤが対応付けられている領域（例えば、図７（ｂ）における領域５３ｃ）がタッチされると、タッチされた領域５３ｃが他の部分とは区別可能に点滅して強調される。
【０１３２】
また、人物情報ＰＤが対応付けられている領域５３ｃがタッチされた場合には、ＬＣＤ１６に表示された送信画面５３における向かって右側の領域５３ｄに、タッチされた（即ち、選択された）領域５３ｃに対応付けられている人物情報ＰＤが表示されると共に、領域５３ｄに表示された人物情報ＰＤのファクシミリ番号へダイヤル（即ち、送信又は転送開始の指示）するためのダイヤルボタン５３ｅが表示される。このように、本実施形態のＭＦＰ１によれば、送信先又は転送先をタッチパネル方式で指定することができるので、送信先又は転送先の指定を容易な操作で行うことができる。
【０１３３】
特に、受信ＦＡＸデータの転送時には、受信ＦＡＸデータの送信元の相手の人物情報ＰＤが対応付けられている領域と、それ以外の人物情報ＰＤが対応付けられている領域とを含む写真から、転送先とする相手を指定することができる。このように、受信ＦＡＸデータの送信元の相手の人物情報ＰＤが対応付けられている領域と、それ以外の人物情報ＰＤが対応付けられている領域とを含む写真を利用して、転送先とする相手を指定することができるので、受信ＦＡＸデータの転送先の相手を容易に探すことができる。
【０１３４】
図７（ｃ）は、領域５３ｄに表示された人物情報ＰＤ（即ち、表示画面５３ａに表示された写真内の領域５３ｃに対応付けられている相手）を送信先又は転送先の相手として確定し、ダイヤルする際の発信画面５３の状態を示す図である。図７（ｃ）に示すように、ユーザは、領域５３ｄに人物情報ＰＤが表示された状態でダイヤルボタン５３ｅをタッチすることによって、その相手（即ち、領域５３ｃに対応付けられている送信先又は転送先としての相手）へのＦＡＸデータの送信要求を開始することができる。
【０１３５】
よって、本実施形態のＭＦＰ１によれば、領域５３ｄに人物情報ＰＤが表示された状態下でダイヤルボタン５３ｅをタッチすることになるので、領域５３ｄに表示された人物情報ＰＤに基づいて、ＦＡＸデータの送信先又は転送先をよく把握した上で、ＦＡＸデータの送信要求や、ＦＡＸデータの送信又は転送を開始することができる。そのため、ＦＡＸデータの送信先や転送先の間違いを防止することができる。
【０１３６】
図７（ｄ）は、人物情報に基づいてその人物情報に対応する写真を抽出するモードである場合に、領域５３ｄに表示された人物画像５３ｆがタッチされたときの発信画面５３の状態を示す図である。図７（ｄ）に示すように、ＬＣＤ１６における向かって右側の領域５３ｄには、領域５３ｃから切り出した人物画像５３ｆが表示される。
【０１３７】
ユーザは、人物情報に基づいてその人物情報に対応する写真を抽出するモードである場合に、領域５３ｄに表示された人物画像をタッチすることによって、人物画像５３ｆに対応する写真（即ち、領域５３ｄに表示されている人物情報ＰＤ）に対応付けられている写真を抽出することができ、タブ５３ｂの操作（タッチ）によって任意の１枚を選択して表示させることができる。
【０１３８】
次に、図８を参照して、電話帳から所望の送信先又は転送先へＦＡＸデータの送信をするＦＡＸ送信処理の内容について説明する。図８は、ＭＦＰ１で実行されるＦＡＸ送信処理を示すフローチャートである。このＦＡＸ送信処理は、ユーザによりＦＡＸデータを送信する指示が入力された場合、又は、後述する転送処理（図１１参照）において、ＦＡＸ転送モード画面５６（図９（ａ）参照）における設定終了ボタン５６ｅがタッチされたことが確認された場合に起動する処理である。
【０１３９】
このＦＡＸ送信処理は、起動すると、まず、人物から写真フラグ１４ｅをオフし（Ｓ３１）、送信画面５３（図７（ａ）参照）を表示する（Ｓ３２）。このとき、送信画面５３の表示領域５３ａには、電話帳メモリ１４ｂに登録されている１の写真を表示すると共に、電話帳メモリ１４ｂに登録されている全ての写真に対応するタブ５３ｂを表示する。
【０１４０】
Ｓ３２の処理後、送信画面５３におけるダイヤルボタン５３ｅがタッチされたかを確認する（Ｓ３３）。Ｓ３３の処理により確認した結果、ダイヤルボタン５３ｅがタッチされていない場合には（Ｓ３３：Ｎｏ）、領域５３ｄに表示された人物画像５３ｆがタッチされたかを確認する（Ｓ３４）。ここで、人物画像５３ｆがタッチいなければ（Ｓ３４：Ｎｏ）、Ｓ３５の処理へ移行する。
【０１４１】
一方で、Ｓ３４の処理により確認した結果、人物画像５３ｆがタッチされた場合には（Ｓ３４：Ｙｅｓ）、人物から写真フラグ１４ｅがオンであるかを確認する（Ｓ４４）。このとき、人物から写真フラグ１４ｅがオフであれば（Ｓ４４：Ｎｏ）、人物から写真フラグ１４ｅをオンする（Ｓ４７）。これによって、写真から人物情報を抽出するモードから、人物情報に基づいてその人物情報に対応する写真を抽出するモードに変更される。
【０１４２】
Ｓ４７の処理後、電話帳メモリ１４ｂに登録されている写真のうち、タッチされた人物画像５３ｆ（即ち、領域５３ｄに表示されている人物情報ＰＤ）に対応付けられている全ての写真を抽出して対応するタブ５３ｂを表示し（Ｓ４８）、Ｓ３５の処理へ移行する。
【０１４３】
Ｓ４８の処理の結果、ユーザは、電話帳メモリ１４ｂに登録されている写真のうち、人物画像５３ｆを含む全ての写真をタブ５３ｂの操作（タッチ）によって表示させることができる。
【０１４４】
一方で、Ｓ４４の処理により確認した結果、人物から写真フラグ１４ｅがオンであれば（Ｓ４４：Ｙｅｓ）、人物から写真フラグ１４ｅをオフする（Ｓ４５）。これによって、人物情報に基づいてその人物情報に対応する写真を抽出するモードから、写真から人物情報を抽出するモードに変更される。つまり、領域５３ｄに表示された人物画像５３ｆをタッチする毎に、人物情報に基づいてその人物情報に対応する写真を抽出するモードと、写真から人物情報を抽出するモードとが変更される。
【０１４５】
Ｓ４５の処理後、電話帳メモリ１４ｂに登録されている全ての写真に対応するタブ５３ｂを表示し（Ｓ４６）、Ｓ３５の処理へ移行する。よって、写真から人物情報を抽出するモードでは、電話帳メモリ１４ｂに登録されている全ての写真の中から登録されている人物情報ＰＤを抽出させることができる。
【０１４６】
Ｓ３５の処理では、表示領域５３ａに表示する写真として別の写真が選択されたか、即ち、表示領域５３ａに表示中の写真とは異なる写真のタブ５３ｂが選択されたかを確認する（Ｓ３５）。
【０１４７】
Ｓ３５の処理により確認した結果、表示写真が切り替えられた場合には（Ｓ３５：Ｙｅｓ）、表示領域５３ａに表示する写真を選択された写真に切り替え（Ｓ３６）、Ｓ３７の処理へ移行する。一方で、Ｓ３５の処理によって別の写真の選択が確認されない場合には（Ｓ３５：Ｎｏ）、Ｓ３６の処理をスキップして、Ｓ３７の処理へ移行する。
【０１４８】
Ｓ３７の処理では、選択人物が変更されたか、即ち、写真内の他の領域（ボタン）がタッチされたかを確認する（Ｓ３７）。Ｓ３７の処理により確認した結果、写真内の他の領域がタッチされて選択人物が変更された場合には（Ｓ３７：Ｙｅｓ）、人物から写真フラグ１４ｅをオフする（Ｓ３８）。
【０１４９】
Ｓ３８の処理後、電話帳メモリ１４ｂに登録されている全ての写真に対応するタブ５３ｂを表示し（Ｓ３９）、変更された人物の人物情報ＰＤ、即ち、選択された領域に対応付けられている人物情報ＰＤを、電話帳メモリ１４ｂ（人物情報メモリ１４ｂ１及び画像情報メモリ１４ｂ２）から読み出し、発信画面５３における領域５３ｄに表示し（Ｓ４０）、Ｓ３３の処理へ戻る。
【０１５０】
一方で、Ｓ３７の処理により確認した結果、選択人物が変更されていない場合、即ち、写真内の他の領域がタッチされていない場合には（Ｓ３７：Ｙｅｓ）、そのまま、Ｓ３３の処理へ戻る。
【０１５１】
また、Ｓ３３の処理により確認した結果、ダイヤルボタン５３ｅがタッチされた場合には（Ｓ３３：Ｙｅｓ）、カバーページフラグ１４ｈがオンであるかを確認する（Ｓ４９）。
【０１５２】
Ｓ４９の処理により確認した結果、カバーページフラグ１４ｈがオンであれば（Ｓ４９：Ｙｅｓ）、送信画面５３における領域５３ｄに表示中の人物情報ＰＤにおける氏名（指名Ｐ２）と、後述する転送処理（図１１参照）においてカバーページメモリ１４ｉに記憶される内容とを用いて、カバーページのページデータを自動作成し（Ｓ５０）、作成したページデータを送信ＦＡＸメモリ１４ｆに記憶する（Ｓ５１）。
【０１５３】
なお、カバーページフラグ１４ｈは、後述する転送処理（図１１参照）においてのみオンされるので、Ｓ５１の処理によってカバーページのページデータを記憶させる送信ＦＡＸメモリ１４ｆには、転送処理により作成された転送すべきＦＡＸデータ（転送データ）が既に記憶されている。よって、Ｓ５１の処理によりカバーページのページデータを送信ＦＡＸメモリ１４ｆに記憶することにより、カバーページのページデータが転送すべきＦＡＸデータに付加されることになる。
【０１５４】
ここで、Ｓ５０の処理によって、送信信画面５３における領域５３ｄに表示中の人物情報ＰＤにおける氏名をカバーページのページデータに含めたことにより、かかる氏名が、転送先の相手を示す情報として、転送するＦＡＸデータに付加されるカバーページに表示される（例えば、領域６１ｄ（図１０参照））。
【０１５５】
また、詳細は後述するが、カバーページフラグ１４ｈがオンである場合、カバーページメモリ１４ｉには、ユーザ情報メモリ１４ｊに記憶されているユーザ情報と、転送するＦＡＸデータの本来の送信元の相手の氏名（対応する人物情報ＰＤに含まれる氏名Ｐ２）とが記憶されているので、これらの情報もカバーページに表示される（例えば、領域６１ｂ、領域６１ｃ（図１０参照））。
【０１５６】
Ｓ５１の処理後、カバーページフラグ１４ｈをオフして（Ｓ５２）、Ｓ５３の処理へ移行する。一方で、Ｓ４９の処理により確認した結果、カバーページフラグ１４ｈがオフである場合もまた（Ｓ４９：Ｎｏ）、Ｓ５３の処理へ移行する。
【０１５７】
Ｓ５３の処理では、領域５３ｄに表示中の人物情報ＰＤ（即ち、ユーザに選択された領域５３ｄに対応付けられている人物情報ＰＤ）に含まれるファクシミリ番号Ｐ３をダイヤルする（Ｓ５３）。Ｓ５３の処理後、送信履歴メモリ１４ｃに、送信時刻と、送信相手を示す情報としてのファクシミリ番号Ｐ３と、表示領域５３ａに表示中の写真を示す情報とを送信履歴として記憶し（Ｓ５４）、発呼を開始する（Ｓ５５）。
【０１５８】
Ｓ５５の処理後、回線が閉結されたかを確認し（Ｓ５６）、回線が閉結されていなければ（Ｓ５６：Ｎｏ）、Ｓ５５の処理へ戻る。一方で、Ｓ５６の処理により確認した結果、回線が閉結された場合には（Ｓ５６：Ｙｅｓ）送信ＦＡＸメモリ１４ｆの内容（ページデータ）を送信し（Ｓ５７）、このＦＡＸ送信処理を終了する。
【０１５９】
このように、本実施形態のＭＦＰ１において実行されるＦＡＸ送信処理は、ＬＣＤ１６（より具体的には、送信画面５３の表示領域５３ａ）に表示された写真（画像）を参照しつつ通信相手（ＦＡＸデータの送信先の相手又はＦＡＸデータの転送先の相手）を決定することができる。よって、ＬＣＤ１６に表示された写真を基に通信相手を入力できるので、通信を開始するにあたり、写真から連想できる通信相手を選ぶことができ、通信相手に関する情報をよく把握した上で通信を開始できる。
【０１６０】
次に、図９から図１１を参照して、受信したＦＡＸデータを第三者に転送する場合について説明する。まず、図９を参照して、図１１のフローチャートにより示す転送処理の実行中にＬＣＤ１６に表示される画面について説明する。図９は、後述する転送処理（図１１参照）の実行中にＬＣＤ１６に表示される画面の模式図である。
【０１６１】
図９（ａ）は、受信ＦＡＸ表示画面５５（図４（ｄ）参照）における転送ボタン５５ｂがタッチされた場合にＬＣＤ１６に表示されるＦＡＸ転送モード画面５６を示す模式図である。
【０１６２】
図９（ａ）に示すように、ＦＡＸ転送モード画面５６では、ＬＣＤ１６を２つに分割し、そのうち向かって左側には、１枚の写真（画像）を表示できる表示領域５６ａが設けられており、この表示領域５６ａに１の写真が表示される。なお、本実施形態では、表示領域５６ａに最初に表示される写真は、受信ＦＡＸ表示画面５５（図４（ｄ）参照）を表示させるためにタッチされた受信履歴画面５２（図４（ｂ）又は図４（ａ）参照）に表示された吹き出し５２ｊを含む写真（画像）とされている。
【０１６３】
この表示領域５６ａの下方には、表示領域５６ａに表示する写真を選択可能なタブ５６ｆが表示される。ユーザは、自身の指などでタブ５６ｆを適宜タッチすることにより、タッチされたタブ５３ｂに対応する所望の写真を表示領域５６ａに表示させることができる。
【０１６４】
なお、本実施形態では、受信ＦＡＸ表示画面５５（図４（ｄ）参照）を表示させるためにタッチされた受信履歴画面５２（図４（ｂ）又は図４（ａ）参照）に表示された吹き出し５２ｊに対する領域（領域５２ｄ又は領域５２ｇ）に対応する相手、即ち、第三者に転送しようとするＦＡＸデータ（受信したＦＡＸデータ）の送信元の相手を含むすべての写真に対応するタブ５６ｆが表示されるように構成されている。
【０１６５】
よって、タブ５６ｆを適宜タッチして表示領域５６ａに表示する写真を切り替えることができるので、ユーザは、転送先とする第三者（転送先とする相手）を、転送する受信ＦＡＸデータの送信元と関連付けつつ探すことができる。
【０１６６】
また、図９（ａ）に示すように、ＦＡＸ転送モード画面５６における向かって右側の領域５６ｂには、ページ指定ボタン５６ｃと、自動カバーページ作成ボタン５６ｄと、設定終了ボタン５６ｅとが表示される。
【０１６７】
ページ指定ボタン５６ｃは、受信したＦＡＸデータ（ページデータ）から、転送するページの指定を指示するためのボタンである。このページ指定ボタン５６ｃがタッチされると、後述するページ指定画面５７（図９（ｂ）参照）がＬＣＤ１６に表示され、転送するページの指定が可能となる。
【０１６８】
自動カバーページ作成ボタン５６ｄは、受信したＦＡＸデータを第三者へ転送する場合に、転送するＦＡＸデータに付加するカバーページを自動的に作成するよう指示するボタンである。この自動カバーページ作成ボタン５６ｄがタッチされると、図１０に示すようなカバーページＰＧのページデータが作成される。
【０１６９】
ここで、図１０を参照して、自動カバーページ作成ボタン５６ｄのタッチに伴って自動作成されるカバーページＰＧについて説明する。図１０は、自動カバーページ作成ボタン５６ｄのタッチに伴って自動作成されるカバーページＰＧを示す模式図である。
【０１７０】
本実施形態では、自動カバーページ作成ボタン５６ｄがタッチされると、転送するＦＡＸデータの本来の送信元の相手（即ち、転送を指示した受信したＦＡＸデータの送信元の相手）を示す情報を少なくとも含むカバーページＣＰが作成される。
【０１７１】
具体的には、図１０に示すように、転送するＦＡＸデータの本来の送信元を伝えるためのメッセージ６１ａがカバーページＣＰに表示される。このメッセージ６１ａには、転送するＦＡＸデータの本来の送信元の相手の氏名を表示（表記）する領域６１ｂが含まれている。
【０１７２】
領域６１ｂに表示される氏名（転送するＦＡＸデータの本来の送信元の相手の氏名）は、受信ＦＡＸ表示画面５５（図４（ｄ）参照）を表示させるためにタッチされた受信履歴画面５２（図４（ｂ）又は図４（ａ）参照）に表示された吹き出し５２ｊに対する領域（領域５２ｄ又は領域５２ｇ）に対応する相手の人物情報ＰＤから抽出された氏名Ｐ２である。
【０１７３】
このように、自動カバーページ作成ボタン５６ｄのタッチに伴い、転送するＦＡＸデータの本来の送信元を伝えるためのメッセージ６１ａ（即ち、転送するＦＡＸデータの本来の送信元の相手の氏名を表示する領域６１ｂを含むメッセージ６１ａ）が表示されるカバーページＣＰが自動作成されるので、転送先の相手に、ＦＡＸデータの本来の送信元が誰であるかを明確に把握させることができる。
【０１７４】
また、図１０に示すように、自動カバーページ作成ボタン５６ｄがタッチされた場合に自動作成されるカバーページＣＰには、メッセージ６１ａの他、ＦＡＸデータの転送を行ったＭＦＰ１のユーザ情報が表示される領域６１ｃと、転送先の相手を示す情報を表示する領域６１ｄが表示される。なお、本実施形態では、領域６１ｃに表示されるユーザ情報は、ユーザ情報メモリ１４ｊに記憶されているユーザ情報（本実施形態では、氏名、住所、及びファクシミリ番号）であり、領域６１ｄに表示される転送先の相手を示す情報は、最終的に指定される転送先の相手の人物情報ＰＤに含まれる氏名Ｐ２である。
【０１７５】
再度、図９（ａ）に戻って説明する。設定終了ボタン５６ｅは、転送するＦＡＸデータの確定を指示するボタンである。この設定終了ボタン５６ｅがタッチされると、送信画面５３（図７（ａ）参照）が表示され、送信画面５３の操作によってＦＡＸデータを転送させることができる。
【０１７６】
図９（ｂ）は、ＦＡＸ転送モード画面５６におけるページ指定ボタン５６ｃがタッチされた場合にＬＣＤ１６に表示されるページ指定画面５７を示す模式図である。ページ指定画面５７には、転送するよう指示された受信ＦＡＸデータの内容を示す画像がページ単位（図９（ｂ）に示す例では、ページＰｇ１，Ｐｇ２，Ｐｇ３）でサムネイル表示されると共に、ページ指定の終了を指示するための終了ボタン５７ａが表示される。
【０１７７】
詳細は後述するが、ユーザは、ページ指定画面５７に表示された各サムネイルのうち、転送を所望するページのサムネイルをタッチすることにより、転送するＦＡＸデータを指定することができる。
【０１７８】
次に、図１１を参照して、受信ＦＡＸ表示画面５５（図４（ｄ）参照）における転送ボタン５５ｂがタッチされた場合に実行される転送処理の内容について説明する。図１１は、ＭＦＰ１で実行される転送処理を示すフローチャートである。
【０１７９】
この転送処理は、受信ＦＡＸ表示画面５５（図４（ｄ）参照）における転送ボタン５５ｂがタッチされると起動する処理であり、まず、ＦＡＸ転送モード画面５６（図９（ａ）参照）をＬＣＤ１６に表示する（Ｓ６１）。
【０１８０】
Ｓ６１の処理後、ＦＡＸ転送モード画面５６における設定終了ボタン５６ｅがタッチされたかを確認し（Ｓ６２）、設定終了ボタン５６ｅがタッチされていなければ（Ｓ６２：Ｎｏ）、ページ指定ボタン５６ｃがタッチされたかを確認する（Ｓ６４）。
【０１８１】
Ｓ６４の処理により確認した結果、ページ指定ボタン５６ｃがタッチされていれば（Ｓ６４：Ｙｅｓ）、ＦＡＸ転送モード画面５６に換えて、ページ指定画面５７（図９（ｂ）参照）をＬＣＤ１６に表示し（Ｓ６５）、そのページ指定画面５７に、転送するよう指示された受信ＦＡＸデータをページ単位でサムネイル表示する（Ｓ６６）。
【０１８２】
Ｓ６６の処理後、ページ指定画面５７に表示されたサムネイルがタッチされたかを確認する（Ｓ６７）。Ｓ６７の処理により確認した結果、サムネイルがタッチされていなければ（Ｓ６７：Ｎｏ）、サムネイルへのタッチが確認されるまで、Ｓ６７の確認処理、即ち、ページ指定画面５７に表示されたサムネイルがタッチされたか否かの確認を繰り返す。
【０１８３】
一方で、Ｓ６７の処理により確認した結果、ページ指定画面５７に表示されたサムネイルがタッチされた場合には（Ｓ６７：Ｙｅｓ）、タッチされたサムネイルに対応するページのページデータを送信ＦＡＸメモリ１４ｇに記憶し（Ｓ６８）、ページ指定画面５７における終了ボタン５７ａがタッチされたかを確認する（Ｓ６９）。
【０１８４】
ここで、Ｓ６９の処理により確認した結果、終了ボタン５７ａがタッチされていれば（Ｓ６９：Ｙｅｓ）、ページ指定画面５７に換えて、ＦＡＸ転送モード画面５６を再度ＬＣＤ１６に表示し（Ｓ７０）、Ｓ６２の処理へ移行し、再度、設定終了ボタン６２ｅがタッチされたか否かの確認を行う。
【０１８５】
一方で、Ｓ６９の処理により確認した結果、終了ボタン５７ａがタッチされていなければ（Ｓ６９：Ｎｏ）、終了ボタン５７ａへのタッチが確認されるまで、Ｓ６７の確認処理、即ち、ページ指定画面５７に表示されたサムネイルがタッチされたか否かの確認を繰り返す。
【０１８６】
Ｓ６７，Ｓ６８，Ｓ６９の処理の結果、ＬＣＤ１６へのページ指定画面５７の表示後、終了ボタン５７ａがタッチされるまでの間に、ページ指定画面５７に表示されたサムネイルがタッチされる毎に、タッチされたサムネイルに対応するページのページデータが送信ＦＡＸメモリ１４ｇに記憶される。従って、これらの処理（Ｓ６７，Ｓ６８，Ｓ６９）によれば、ページ指定画面５７に表示されたサムネイルの中からタッチされることによって指定されたページが転送するＦＡＸデータ（ページデータ）として選択される。
【０１８７】
また、Ｓ６４の処理により確認した結果、ページ指定ボタン５６ｃがタッチされていなければ（Ｓ６４：Ｎｏ）、自動カバーページ作成ボタン５６ｄがタッチされたかを確認する（Ｓ７１）。
【０１８８】
Ｓ７１の処理により確認した結果、自動カバーページ作成ボタン５６ｄがタッチされていなければ（Ｓ７１：Ｎｏ）、Ｓ６２の処理へ移行し、再度、設定終了ボタン６２ｅがタッチされたか否かの確認を行う。
【０１８９】
一方で、Ｓ７１の処理により確認した結果、自動カバーページ作成ボタン５６ｄがタッチされていれば（Ｓ７１：Ｙｅｓ）、カバーページフラグ１４ｈをオンし（Ｓ７２）、ユーザ情報メモリ１４ｊに記憶されているユーザ情報（本実施形態では、氏名、住所、及びファクシミリ番号）をカバーページメモリ１４ｉに記憶する（Ｓ７３）。
【０１９０】
なお、Ｓ７３の処理によりカバーページメモリ１４ｉに記憶されたユーザ情報は、ＦＡＸデータを転送した相手として、転送するＦＡＸデータに付加されるカバーページＣＰに表示される。具体的には、図１０に示す例では、Ｓ７３の処理によりカバーページメモリ１４ｉに記憶されたユーザ情報は、カバーページＣＰにおける領域６１ｃに表示される。
【０１９１】
Ｓ７３の処理後、転送するＦＡＸデータの本来の送信元の相手の氏名（対応する人物情報ＰＤに含まれる氏名Ｐ２）をカバーページメモリ１４ｉに記憶する（Ｓ７４）。
【０１９２】
このＳ７４の処理によりカバーページメモリ１４ｉに記憶された氏名、即ち、転送するＦＡＸデータの本来の送信元の相手の氏名は、転送するＦＡＸデータに付加されるカバーページＣＰに表示される。具体的には、図１０に示す例では、ＳＳ７４の処理によりカバーページメモリ１４ｉに記憶された氏名は、カバーページＣＰにおける領域６１ｂ（即ち、転送するＦＡＸデータの本来の送信元を伝えるためのメッセージ６１ａの一部）に表示される。
【０１９３】
Ｓ７４の処理後は、Ｓ６２の処理へ移行し、再度、設定終了ボタン６２ｅがタッチされたか否かの確認を行う。そして、Ｓ６２の処理により確認した結果、設定終了ボタン６２ｅがタッチされていれば（Ｓ６２：Ｙｅｓ）、図８を参照しつつ説明したＦＡＸ送信処理を実行し（Ｓ６３）、この転送処理を終了する。
【０１９４】
ここで、ＦＡＸ送信処理（Ｓ６３）の実行により、Ｓ６７，Ｓ６８，Ｓ６９の処理によって送信ＦＡＸメモリ１４に記憶されたページデータ、即ち、転送するＦＡＸデータとして選択されたページデータが、所望の転送先へ転送される。
【０１９５】
その際、自動カバーページ作成ボタン５６ｄがタッチされていれば、Ｓ７３，Ｓ７４の処理によってカバーページメモリ１４ｉに記憶された内容と、ＦＡＸ送信処理（Ｓ６３）の実行によってＬＣＤ１６に表示された送信画面５３を用いて指定された転送先（送信先）の相手の人物情報ＰＤとを用いて、カバーページＣＰのページデータが自動作成され、転送するＦＡＸデータに付加されて転送される。
【０１９６】
以上説明したように、第１実施形態のＭＦＰ１によれば、ＦＡＸデータの送信元の相手を示す人物情報（人物情報ＰＤ）だけでなく、他の人物情報にも対応付けられている写真が、ＬＣＤ１６（具体的には、受信画面５１や受信履歴画面５２）に表示された場合に、そのＦＡＸデータの送信元の相手に対応する領域が、他の人物情報ＰＤに対応する領域と異なる態様で区別されるので、ＦＡＸデータの送信元の相手を容易に特定することができる。
【０１９７】
また、その際には、受信画面５１や受信履歴画面５２に表示された写真を参照し、ＦＡＸデータの送信元の相手に対応する領域と、他の人物情報に対応する領域とを比較することによって、ＦＡＸデータの送信元の相手に関する間接的な情報を得ることができる。よって、ＦＡＸデータの送信元の相手に対する理解を深めることができる。
【０１９８】
さらに、第１実施形態のＭＦＰ１によれば、人物情報（人物情報ＰＤ）に対応付けられている写真を利用してＦＡＸデータの転送先とする相手を指定できるので、ＦＡＸデータの送信元の相手と関連付けつつ、転送先の相手を探すことができる。よって、ＦＡＸデータの転送先とする相手を容易に探すことができ、ＦＡＸデータの転送を容易に行うことができる。
【０１９９】
次に、図１２を参照して、本発明の第２実施形態について説明する。図１２は、本発明の第２実施形態における通信システム５００の電気的構成を示すブロック図である。上述した第１実施形態では、ユーザがＭＦＰ１の操作によって電話回線網１００を介した通信（電話やファクシミリ）を行うように構成したが、第２実施形態では、ＭＦＰ１に接続されたパーソナルコンピュータ（ＰＣ）２００の操作によって、電話回線網１００を介した通信（電話やファクシミリ）を行う。なお、この第２実施形態の画像情報処理システム５００を説明する上で、上記の第１実施形態と同一の部分には同一の符号を付して、その説明は省略する。
【０２００】
図１２に示すように、通信システム５００は、ＭＦＰ１とＰＣ２００とから構成され、ＭＦＰ１とＰＣ２００とは、ＭＦＰ１に設けられたインターフェイス（Ｉ／Ｆ）３１及びＰＣ２００に設けられたインターフェイス（Ｉ／Ｆ）２３１を介して通信可能に接続されている。
【０２０１】
ＭＦＰ１は、Ｉ／Ｆ３１が設置され、上述した図４、図５、図７、及び図１１に示す各フローチャートを実行させる通信プログラム１２ａと、人物から写真フラグ１４ｅと、送信ＦＡＸメモリ１４ｇと、カバーページフラグ１４ｈと、カバーページメモリ１４ｉと、ユーザ情報メモリ１４ｊとを備えていないこと以外は、上述した第１実施形態と同様に構成される。
【０２０２】
ＰＣ２００は、ＣＰＵ２１１、ＲＯＭ２１２、ＲＡＭ２１３、入力装置２１５、ＬＣＤ２１６、マイクロフォンを一体化したヘッドフォンであるヘッドセット２２２を主に有している。ＣＰＵ２１１、ＲＯＭ２１２、ＲＡＭ２１３は、バスライン２２６を介して互いに接続されている。また、入力装置２１５、ＬＣＤ２１６、ヘッドセット２２２、バスライン２２６は、入出力ポート２２７を介して互いに接続されている。
【０２０３】
ＣＰＵ２１１は、ＲＯＭ２１２やＲＡＭ２１３に記憶される固定値やプログラム或いは、ＮＣＵ２２３を介して送受信される各種信号に従って、ＰＣ２００が有している各機能の制御や、入出力ポート２２７と接続された各部を制御するものである。
【０２０４】
ＲＯＭ２１２は、ＣＰＵ２１１により実行される制御プログラムや、その実行の際に参照される固定値データが記憶されている。このＲＯＭ２１２は、通信プログラム２１２ａを記憶する領域を有している。通信プログラム２１２ａは、第１実施形態においてＭＦＰ１により実行されたＦＡＸ受信処理（図４参照）、受信画面表示処理（図５参照）、ＦＡＸ送信処理（図７参照）、及び転送処理（図１１参照）に相当する処理を実行するプログラムである。
【０２０５】
また、ＲＡＭ２１３は、書き替え可能な揮発性のメモリであり、ＰＣ２００の各操作の実行時に各種のデータを一時的に記憶するためのメモリである。このＲＡＭ２１３は、人物から写真フラグ２１３ａ、送信ＦＡＸメモリ２１３ｂと、カバーページフラグ２１３ｃと、カバーページメモリ２１３ｄと、ユーザ情報メモリ２１３ｅとを有している。
【０２０６】
人物から写真フラグ２１３ａは、第１実施形態における人物から写真フラグ１４ｅと同様のフラグであり、ＰＣ２００にて、第１実施形態においてＭＦＰ１により実行されたＦＡＸ送信処理（図８参照）に相当する処理を実行する際に、人物情報に基づいてその人物情報に対応する写真を抽出するモードであるか否かを示すフラグである。
【０２０７】
送信ＦＡＸメモリ２１３ｂは、第１実施形態における送信ＦＡＸメモリ１４ｇと同様のメモリであり、ＭＦＰ１を介して外部（通信相手、送信先又は転送先の相手）へ送信するＦＡＸデータ（ページデータ）を記憶するためのメモリである。ＭＦＰ１を介して受信したＦＡＸデータから作成された転送データが、外部へ転送（送信）するためのＦＡＸデータとして送信ＦＡＸメモリ２１３ｂに記憶される。
【０２０８】
カバーページメモリ２１３ｄは、第１実施形態におけるカバーページフラグ１４ｈと同様のフラグであり、ＰＣ２００にて、第１実施形態においてＭＦＰ１により実行された転送処理（図１１参照）に相当する処理を実行する際に、カバーページを自動的に作成するか否かを示すフラグである。
【０２０９】
カバーページメモリ２１３ｄは、第１実施形態におけるカバーページメモリ１４ｉと同様のメモリであり、ＰＣ２００にて、第１実施形態においてＭＦＰ１により実行された転送処理（図１１参照）において自動作成されたカバーページのページデータを記憶するためのメモリである。
【０２１０】
ユーザ情報メモリ２１３ｅは、第１実施形態におけるユーザ情報メモリ１４ｊと同様のメモリであり、ＰＣ２００又はＭＦＰ１を特徴付けるユーザ情報（例えば、ファクシミリ番号、電話番号、電子メールアドレス、氏名、住所など）を記憶するためのメモリである。
【０２１１】
入力装置２１５は、情報の入力や操作指示をＰＣ２００へ入力するための装置であり、キーボードやマウスなどを例示できる。なお、入力装置２１５を、ＬＣＤ２１６と一体的に構成されているタッチパネルとして構成してもよい。
【０２１２】
この第２実施形態では、ＦＡＸ受信処理（図４参照）、受信画面表示処理（図５参照）、ＦＡＸ送信処理（図７参照）、及び転送処理（図１１参照）に相当する処理がＰＣ２００で実行される。具体的には、ＦＡＸ受信処理などにおいて、各画面５１，５２，５３，５５，５６，５７は、ＬＣＤ２１６に表示され、ユーザの指によるタッチに換えて入力装置２１５の操作によって操作指示を行う。なお、画面５１，５２，５３，５６に表示される写真は、ＭＦＰ１の画像データメモリ１４ａから電話帳メモリ１４ｂの内容に応じて読み出される。また、画面５５，５７に表示される受信ＦＡＸデータの内容を示す画像は、ＭＦＰ１の受信ＦＡＸメモリ１４ｆから読み出される。
【０２１３】
以上説明したように、第２実施形態の画像情報処理システム５００によれば、第１実施形態のＭＦＰ１と同様に、ＦＡＸデータの送信元の相手を示す人物情報（人物情報ＰＤ）だけでなく、他の人物情報にも対応付けられている写真が、ＬＣＤ２１６に表示された場合に、そのＦＡＸデータの送信元の相手に対応する領域が、他の人物情報ＰＤに対応する領域と異なる態様で区別されるので、ＦＡＸデータの送信元の相手を容易に特定することができる。
【０２１４】
さらに、人物情報（人物情報ＰＤ）に対応付けられている写真を利用してＦＡＸデータの転送先とする相手を指定できるので、ＦＡＸデータの送信元の相手と関連付けつつ、転送先の相手を探すことができる。よって、ＦＡＸデータの転送先とする相手を容易に探すことができ、ＦＡＸデータの転送を容易に行うことができる。よって、上述した第１実施形態のＭＦＰと同様の利点を有する。
【０２１５】
以上、実施形態に基づき本発明を説明したが、本発明は上記実施形態に何ら限定されるものではなく、本発明の趣旨を逸脱しない範囲内で種々の改良変形が可能であることは容易に推察できるものである。
【０２１６】
例えば、上記各実施形態では、受信したＦＡＸデータを第三者へ転送する場合について例示したが、転送するデータは、ＦＡＸデータ（ページデーダ）に限定されるものではなく、受信した各種データを第三者へ転送するために本発明を適用することができる。例えば、電話機能を用いた通信において、通信要求をしてきた相手によって残されたメッセージ（音声データ）を第三者へ転送する場合にも、本発明を同様に適用することができる。
【０２１７】
また、上記各実施形態では、受信ＦＡＸ表示画面５５（図４（ｄ））に、第三者への受信ＦＡＸデータの転送を指示する転送ボタン５５ｂを表示する構成としたが、例えば、図１３に示すように受信ＦＡＸ表示画面５５に転送ボタン５５ｂを表示しない構成としてもよい。図１３は、受信ＦＡＸ表示画面５５の変形例を示す模式図である。なお、図４（ｄ）に示した受信ＦＡＸ表示画面５５と同一の部分には、同一の符号を付してその説明を省略する。
【０２１８】
図１３に示す受信ＦＡＸ表示画面５５は、ＬＣＤ１６を分割し、そのうち向かって左側には、１枚の写真を表示できる表示領域５５ｄが設けられており、かかる表示領域５５ｄには、受信履歴画面５２（図４（ｂ）又は図４（ｃ））に表示された吹き出し５２ｊがタッチされた場合に、まず、そのタッチされた吹き出し５２ｊを含む写真が表示される。
【０２１９】
また、この表示領域５５ｄの下方には、タブ５５ｆが設けられており、ユーザがタッチすることによって表示領域５５ｄに表示する写真を変更することができる。なお、電話帳メモリ１４ｂに登録されている全ての写真に対応するだけのタブ５５ｆを表示し、転送先とする相手を含む写真を選択させるようにしてもよい。
【０２２０】
一方、受信ＦＡＸ表示画面５５における向かって右側の領域５５ｅには、ページＰｇ１，Ｐｇ２，Ｐｇ３が表示される。かかる変形例の受信ＦＡＸ表示画面５５では、例えば、領域５５ｅに表示されるページＰｇ１，Ｐｇ２，Ｐｇ３のいずれかをタッチしたり、表示領域５５ｄに表示される写真中における人物情報ＰＤに対応付けられている領域をタッチすることにより、ＦＡＸ転送モード画面５６（図９（ａ）参照）を表示するように構成してもよい。
【０２２１】
また、かかる変形例の受信ＦＡＸ表示画面５５において、表示領域５５ｄに表示する写真中における人物情報ＰＤに対応付けられている領域をタッチした場合に、領域５５ｅに、タッチされた領域に対応する人物情報ＰＤと、領域５５ｄに表示された人物情報ＰＤのファクシミリ番号へダイヤルするためのダイヤルボタンを表示して、図７（ｂ）に示す状態と同様の状態としてもよい。
【０２２２】
また、上記各実施形態では、ＦＡＸ転送モード画面５６（図９（ａ）参照）では、ページ指定ボタン５６ｃのタッチに伴う転送するページの指定と、自動カバーページ作成ボタン５６ｄのタッチに伴うカバーページの自動作成とを実行可能な構成としたが、表示領域５６ａに表示される写真を利用して転送先とする相手を指定可能に構成してもよい。
【０２２３】
例えば、表示領域５６ａに表示する写真中における人物情報ＰＤに対応付けられている領域をタッチした場合に、領域５６ｂに、タッチされた領域に対応する人物情報ＰＤと、領域５６ｂに表示された人物情報ＰＤのファクシミリ番号へダイヤルするためのダイヤルボタンを表示して、図７（ｂ）に示す状態と同様の状態としてもよい。また、電話帳メモリ１４ｂに登録されている全ての写真に対応するだけのタブ５６ｆとして表示し、転送先とする相手を含む写真を選択させるようにしてもよい。
【０２２４】
また、上記各実施形態では、ＦＡＸデータの受信要求があった場合に受信画面５１における領域５１ａに表示させる写真、及び、ＦＡＸデータの受信後に受信履歴画面５２における領域５２ａに表示させる写真の両方に対し、予め決められているルールに基づき表示される写真の優先度を決定した。この優先度については、受信画面表示処理（図６参照）に記載される条件や順序に限定されるものではなく、種々の条件を種々の順序で適宜採用することができる。
【０２２５】
また、上記各実施形態では、受信画面５１や受信履歴画面５２や送信画面５３やなどにおいて、通信相手に対応する領域を他の領域とは区別可能な態様（例えば、点滅）で表示させることにより、該領域を目立たせるように構成した。この場合、通信相手に対応する領域を他の領域とは区別可能な態様としては、点滅や着色や強調表示などが例示される。
【０２２６】
また、上記各実施形態では、ＬＣＤ１６を２分割し、その向かって左側に写真を表示できる表示領域（表示領域５１ａなど）を設け、右側に個人情報ＰＤを表示できる領域（領域５１ｄなど）を設けたが、２分割に限らず、さらに多くの領域に分割して各領域に種々の情報を表示するように構成してもよい。これによって、ＬＣＤ１６に表示する情報量を増やすことができ、通信相手に関する把握をより深めることが可能となる。
【０２２７】
また、上記各実施形態では、タッチパネル１７と一体化されているＬＣＤ１６に表示された写真内の領域をタッチすることによって写真内に設定されている領域を指定（選択）するように構成した。これに換えて、ＬＣＤ１６に表示された写真内の画像を、操作キー１５の操作によって移動するカーソルやポインタなどによって、写真内に設定されている領域を指定（選択）するように構成してもよい。
【０２２８】
上記各実施形態では、１の人物情報ＰＤから、その人物情報ＰＤに対応する複数の写真を参照させることができることを例示したが、複数の写真に対して共通の人物情報ＰＤを対応付けられることにより、複数の写真に共通する人物情報ＰＤを参照させることも可能である。このように、複数の写真に共通する人物情報ＰＤを参照できることにより、１枚の写真だけでは得られない付加的な情報を容易に得ることができる。
【０２２９】
また、上記各実施形態では、写真に対して人物情報ＰＤ（即ち、人物に関する情報）を対応付ける構成としたが、写真に対応付ける情報は、人物情報に限定されるものではなく、必要に応じた種々の情報（例えば、被写体として含まれる装置や物体や自然物などに関する情報）を写真に対応付けてもよい。また、人物情報ＰＤを対応付ける対象は写真であることに限定されず、写真に換えて、絵画やキャラクタのグラフィックスなど種々の画像データに対して人物情報ＰＤを対応付ける構成としてもよい。
【０２３０】
また、上記各実施形態では、人物（顔）を、人物情報ＰＤを対応付ける領域として設定するように構成したが、写真内に設定される領域としては、人物を対象にすることに限定されず、写真内の任意の領域を、人物情報ＰＤを対応付ける領域として設定できる。
【０２３１】
また、上記各実施形態では、１の領域に対して１の人物情報ＰＤを対応付けることを例示したが、１の領域に対して複数の人物情報ＰＤを対応付けてもよい。例えば、写真内に１軒の家が被写体として写っている場合に、その家を１の領域として設定し、その家に住む家族全員の人物情報を対応付けてもよい。
【０２３２】
また、上記した受信画面表示処理（図６参照）において、ＦＡＸデータの受信要求をしてきた通信相手に対応付けられている写真が複数存在する場合（即ち、Ｓ１６：Ｙｅｓの場合）には、Ｓ１７の処理により、その中に集合写真があるかを確認するように構成した。かかる構成に換え、Ｓ１７の処理を省略して、通信要求をしてきた通信相手に対応付けられている写真が複数存在する場合には、集合写真であるか単独写真であるかにかかわらず、最初に電話帳メモリ１４ｂに記憶した写真を受信画面５１に表示する構成としてもよい。
【０２３３】
また、上記第２実施形態では、画像メモリ１４ａ、電話帳メモリ１４ｂ（人物情報メモリ１４ｂ１，画像情報メモリ１４ｂ２）、送信履歴メモリ１４ｃ、受信履歴メモリ１４ｄ、及び受信ＦＡＸメモリ１４ｆがＭＦＰ１に設けられている構成としたが、これらのメモリ１４ａ〜１４ｄ，１４ｆに相当するメモリの一部又は全部がＰＣ２００のＲＡＭ２１３に設けられている構成としてもよい。
【図面の簡単な説明】
【０２３４】
【図１】本発明の第１実施形態における多機能周辺装置（ＭＦＰ）の外観構成を示した斜視図である。
【図２】ＭＦＰの電気的構成を示すブロック図である。
【図３】（ａ）は、人物情報メモリに記憶されるデータの一例を示す模式図であり、（ｂ）及び（ｃ）は、それぞれ、画像情報メモリに記憶されるデータの一例を示す模式図である。
【図４】ＦＡＸ受信処理の実行中にＬＣＤに表示される画面の模式図である。
【図５】ＭＦＰで実行されるＦＡＸ受信処理を示すフローチャートである。
【図６】図５のＦＡＸ受信処理の中で実行される受信画面表示処理を示すフローチャートである。
【図７】送信画面を示す模式図である。
【図８】ＭＦＰで実行されるＦＡＸ送信処理を示すフローチャートである。
【図９】転送処理の実行中にＬＣＤに表示される画面の模式図である。
【図１０】自動作成されるカバーページを示す模式図である。
【図１１】ＭＦＰで実行される転送処理を示すフローチャートである。
【図１２】本発明の第２実施形態における通信システムの電気的構成を示すブロック図である。
【図１３】受信ＦＡＸ表示画面の変形例を示す模式図である。
【符号の説明】
【０２３５】
１        ＭＦＰ（通信装置の一例）
１４ａ    画像メモリ（画像データ記憶手段の一例）
１４ｂ    電話帳メモリ（登録情報記憶手段の一例）
１４ｆ    受信ＦＡＸメモリ（受信データ記憶手段の一例）
１６      ＬＣＤ（表示画面の一例）
１７      タッチパネル（タッチパネルの一例）
２３      ＮＣＵ（通信手段の一例）
５３ｂ    タブ（メニュー画像の一例）
ＰＤ      人物情報（登録情報の一例）
Ｐ２      氏名（第１の情報の一例）
Ｐ３      ファクシミリ番号（通信先を指定する情報の一例、第２の情報の一例）
Ｐ４      住所（第３の情報の一例）
Ｑ２      領域情報（領域情報の一例）
２００    ＰＣ（情報処理装置の一例）
２１６    ＬＣＤ（表示画面の一例）
５００    通信システム（通信システムの一例）
Ｓ１３    出力制御手段の一例、第１の出力制御手段の一例、出力制御ステップの一例
Ｓ１５    出力制御手段の一例、第１の出力制御手段の一例、出力制御ステップの一例
Ｓ１８    出力制御手段の一例、第１の出力制御手段の一例、出力制御ステップの一例
Ｓ２０    出力制御手段の一例、第１の出力制御手段の一例、出力制御ステップの一例
Ｓ３２    出力制御手段の一例、第２の出力制御手段の一例、第５の出力制御手段の一例、出力制御ステップの一例
Ｓ３６    出力制御手段の一例、第６の出力制御手段の一例、出力制御ステップの一例
Ｓ４０    出力制御手段の一例、第３の出力制御手段の一例、第４の出力制御手段の一例、出力制御ステップの一例
Ｓ５０    ページデータ自動作成手段の一部の一例
Ｓ５３    転送先入力手段の一例
Ｓ５７    転送手段の一例
Ｓ７３    ページデータ自動作成手段の一部の一例
Ｓ７４    ページデータ自動作成手段の一部の一例
【図１】
0004544320.tif 000002
【図２】
0004544320.tif 000003
【図３】
0004544320.tif 000004
【図４】
0004544320.tif 000005
【図５】
0004544320.tif 000006
【図６】
0004544320.tif 000007
【図７】
0004544320.tif 000008
【図８】
0004544320.tif 000009
【図９】
0004544320.tif 000010
【図１０】
0004544320.tif 000011
【図１１】
0004544320.tif 000012
【図１２】
0004544320.tif 000013
【図１３】
0004544320.tif 000014